(57)【要約】固定量の薬剤を送達するための新規の単回使用自動注射器が、説明される。自動注射器は、カバーの中に回転可能に保持された密閉筐体を含み得る。自動注射器が注射場所に位置付けられると、ユーザは、係止位置から装備位置に筐体を移行させることができる。ユーザは、次いで、カバーの中に密閉筐体を圧縮し、注射を開始する起動機構をトリガすることができる。第１の起動機構は、自動注射器の再利用を防止するための連動装置に係合する。第２の起動機構は、まっすぐにし、湾曲した針を設定された露出針長まで延長する。第３の起動機構は、密閉リザーバを穿刺し、薬剤が注射針を通して押し進められることを可能にする。注射に続いて、自動注射器は、拡張および連動し、針を自動注射器の中に後退させ、再利用を防止する。
2020532379.tif 000002
【特許請求の範囲】
【請求項１】
皮下または筋肉内に薬剤用量を送達するためのコンパクトな高アスペクト比自動注射器であって、前記自動注射器は、
筐体と、
前記筐体内に配置された薬剤分注システムであって、前記薬剤分注システムは、前記用量を含むように適合された薬剤リザーバを備えている、薬剤分注システムと、
前記薬剤リザーバに結合された針延長機構と
を備え、
前記針延長機構は、湾曲した注射針を備え、前記湾曲した注射針は、前記針の展開中、前記自動注射器による前記用量の分注を促進するためにまっすぐにされるように適合されている、自動注射器。
【請求項２】
前記筐体は、カバーの中に回転可能に保持された密閉筐体を備えている、請求項１に記載の自動注射器。
【請求項３】
前記筐体は、ユーザ入力を受け取るためのインターフェースをさらに備え、前記インターフェースは、第１の係止位置から第２の係止解除位置までの前記カバーに対する前記筐体の手動回転を促進する、請求項２に記載の自動注射器。
【請求項４】
前記筐体、前記カバー、ラベル、および前記ユーザに直接見える構成要素のうちの少なくとも１つは、前記係止位置、前記係止解除位置、および装備位置を示す印を備えている、請求項３に記載の自動注射器。
【請求項５】
前記自動注射器は、付勢部材をさらに備え、それによって、前記筐体が前記係止解除位置まで回転させられると、前記密閉筐体が前記カバーに対して軸方向に自動的に変位させられ、前記自動注射器の高さを増加させる、請求項３に記載の自動注射器。
【請求項６】
前記付勢部材は、ばねを備え、前記ばねは、前記カバーと一体的に形成された前記筐体と一体的に形成されているか、または、前記筐体と前記カバーとの間に配置されている、請求項５に記載の自動注射器。
【請求項７】
前記自動注射器は、連動装置をさらに備え、それによって、前記筐体は、連動装置の除去なしに、前記カバーに対して回転させられること、または前記カバーに対して軸方向に変位させられることができない、請求項５に記載の自動注射器。
【請求項８】
装備位置における前記自動注射器の手動圧縮は、前記自動注射器の高さを低減させ、前記注射針の遠位端をまっすぐにし、それを前記筐体を通して延長することと、前記注射針を通して前記用量を分注することと、連動装置を起動することとを行う機構を起動する、請求項５に記載の自動注射器。
【請求項９】
手動圧縮の解放時、前記付勢部材は、前記カバーに対して軸方向に前記筐体を自動的に変位させ、前記自動注射器の高さを増加させ、前記注射針の前記遠位端を前記筐体の中に後退させる、請求項８に記載の自動注射器。
【請求項１０】
前記自動注射器は、連動装置をさらに備え、前記連動装置は、前記自動注射器のその後の手動圧縮を防止し、それによって、前記自動注射器を単回使用にする、請求項９に記載の自動注射器。
【請求項１１】
前記連動装置は、前記筐体および前記カバーの中に接触構造を備えている、請求項１０に記載の自動注射器。
【請求項１２】
前記薬剤分注システムは、前記薬剤リザーバ内のプランジャをさらに備え、前記プランジャは、前記用量を保持するための密閉空洞を形成する、請求項１に記載の自動注射器。
【請求項１３】
前記薬剤分注システムは、前記注射針と流体連通している分注針をさらに備えている、請求項１２に記載の自動注射器。
【請求項１４】
前記分注針を前記注射針と相互接続する可撓性管をさらに備えている、請求項１３に記載の自動注射器。
【請求項１５】
前記薬剤分注システムは、ばねと、保持装置と、係止機構とをさらに備え、それによって、係止機構が解放されると、前記ばねは、保持装置を変位させ、前記分注針に前記プランジャを穿刺させ、前記用量との流体連通を提供する、請求項１３に記載の自動注射器。
【請求項１６】
前記カバーは、前記保持装置および前記係止機構を解放するための第２のトリガを備えている、請求項１５に記載の自動注射器。
【請求項１７】
前記ばねは、前記プランジャをさらに変位させることにより、前記バイアルから外へ前記分注針を通して前記注射針まで前記用量を圧送する、請求項１５に記載の自動注射器。
【請求項１８】
前記ばねは、圧縮ばねを備えている、請求項１５に記載の自動注射器。
【請求項１９】
前記針延長機構は、前記湾曲した注射針を支持するための針筒と、前記筒を回転させて前記湾曲した注射針の巻きを解くために前記筒に結合されたばねと、前記筒の不慮の回転を防止するための筒係止機構とをさらに備えている、請求項１に記載の自動注射器。
【請求項２０】
前記ばねは、ねじりばねを備えている、請求項１９に記載の自動注射器。
【請求項２１】
前記カバーは、開口を形成し、前記注射針の遠位端は、前記筒の回転中、前記注射針をまっすぐにするために前記開口を通過する、請求項１９に記載の自動注射器。
【請求項２２】
前記筒係止機構の解放は、前記ばねが前記筒を回転させ、前記注射針を展開することを可能にする、請求項２１に記載の自動注射器。
【請求項２３】
前記カバーは、前記針筒係止機構を解放するための第１のトリガを備えている、請求項２２に記載の自動注射器。
【請求項２４】
前記針延長機構は、前記注射針の近位端を前記針筒に固定するための針筒キャップをさらに備えている、請求項１９に記載の自動注射器。
【請求項２５】
皮下または筋肉内に薬剤用量を送達するためのコンパクトな高アスペクト比自動注射器を動作させる方法であって、前記自動注射器は、筐体と、薬剤分注システムであって、前記薬剤分注システムは、前記用量を含むように適合された薬剤リザーバを備えている、薬剤分注システムと、前記薬剤リザーバに結合された針延長機構であって、前記針延長機構は、湾曲した注射針を備えている、針延長機構とを備え、前記方法は、
前記筐体のカバー内の開口を通した湾曲した注射針の遠位端の展開をトリガし、前記注射針をまっすぐにするステップと、
前記薬剤リザーバの穿刺をトリガし、前記リザーバと前記湾曲した注射針との間に流体連通を提供するステップと、
所望の注射場所において前記注射針を通して前記用量を分注するステップと、
その後、前記注射針の前記遠位端を前記自動注射器の中に後退させるステップと
を含む、方法。
【請求項２６】
前記自動注射器は、連動装置をさらに備え、それによって、前記筐体は、前記連動装置の除去なしに、前記カバーに対して回転させられること、または前記カバーに対して軸方向に変位させられることができない、請求項２５に記載の方法。
【請求項２７】
前記筐体は、カバーの中に回転可能に保持された密閉筐体を備え、前記方法は、第１の係止位置から第２の係止解除位置まで前記カバーに対して前記筐体を手動で回転させるステップをさらに含み、前記密閉筐体は、装備位置まで前記カバーに対して軸方向に自動的に変位させられ、前記自動注射器の高さを増加させる、請求項２５に記載の方法。
【請求項２８】
前記筐体、前記カバー、ラベル、および前記ユーザに直接見える構成要素のうちの少なくとも１つの上の印に基づいて、前記係止位置、前記係止解除位置、および装備位置を決定するステップをさらに含む、請求項２７に記載の方法。
【請求項２９】
前記自動注射器のトリガに先立って、前記カバーを前記所望の注射場所に接着するステップをさらに含む、請求項２７に記載の方法。
【請求項３０】
前記薬剤リザーバの穿刺をトリガするステップは、前記自動注射器が前記装備位置にあるとき、前記自動注射器を手動で圧縮することを含み、前記圧縮することは、前記薬剤分注機構を起動し、分注針の遠位端を用いた前記薬剤リザーバ内のプランジャの穿刺をトリガすることを含む、請求項２５に記載の方法。
【請求項３１】
前記薬剤リザーバの穿刺をトリガするステップは、前記注射針まで前記リザーバから外に前記用量を圧送することをさらに含む、請求項３０に記載の方法。
【請求項３２】
前記自動注射器が前記装備位置にあるときに前記自動注射器を手動で圧縮するステップは、前記針延長機構を起動し、前記カバー内の前記開口を通した前記湾曲した注射針の展開をトリガすることをさらに含む、請求項３０に記載の方法。
【請求項３３】
前記カバー内の前記開口を通して前記湾曲した注射針を展開することを含む前記針延長機構を起動するステップは、針筒を回転させ、前記開口を通して前記湾曲した注射針の遠位端を駆動することをさらに含む、請求項３２に記載の方法。
【請求項３４】
前記針延長機構を起動するステップは、前記カバー内の前記開口を通して前記湾曲した注射針の前記遠位端を展開し、前記注射針をまっすぐにすることを含む、請求項３２に記載の方法。
【請求項３５】
前記注射針の前記遠位端を前記自動注射器の中に後退させるステップは、前記自動注射器の手動圧縮を解放することに起因する、請求項２５に記載の方法。
【請求項３６】
前記用量を分注した後、前記所望の注射場所から前記自動注射器を除去するステップをさらに含む、請求項２５に記載の方法。
【請求項３７】
前記針の後退後、前記自動注射器を自動的に連動させ、前記自動注射器の再利用および前記注射針の遠位端の露出を防止するステップをさらに含む、請求項２５に記載の方法。
【請求項３８】
単回使用後、前記自動注射器を廃棄するステップをさらに含む、請求項２５に記載の方法。
【発明の詳細な説明】
【技術分野】
【０００１】
（関連出願の相互参照）
本願は、両方の内容が、それらの全体として参照することによって本明細書に組み込まれる２０１７年８月３０日に出願され、「Ｃｏｍｐａｃｔ  Ａｕｔｏ−Ｉｎｊｅｃｔｏｒ」と題された、米国仮特許出願第６２／５５２，０５２号、および２０１７年１０月５日に出願され、「Ｐｒｏｔｅｃｔｉｖｅ  Ｃａｓｅ  ｆｏｒ  ａｎ  Ａｕｔｏ−Ｉｎｊｅｃｔｏｒ」と題された米国仮特許出願第６２／５６８，５６７号の優先権の利益を主張する。
【０００２】
（技術分野）
本発明は、概して、薬剤自動注射器に関し、より具体的には、比較的薄型および高アスペクト比の自動注射器に関する。自動注射器は、筋肉内または皮下に薬剤の所望の用量を投与することを可能にする。
【背景技術】
【０００３】
自動注射器市場は、新しい使用に関するきざしとともに、処方の増加を通して急速に成長している。自動注射器は、それらが薬物または生物学的製剤を投与するための革新的アプローチを提供し、安全性を増進し、投薬正確度を向上させ、特に、自己投与設定において患者コンプライアンスを増加させ得るので、より優勢になりつつある。
【０００４】
既存の自動注射器は、既存の問題点：不良な携帯性、不要な注意、偶発的注射、および裂傷に関連付けられた患者が感じる不安に対処するための代替物を患者に積極的に捜し求めさせる。改良された自動注射器が、必要とされる。
【発明の概要】
【課題を解決するための手段】
【０００５】
人間中心設計を通して、本明細書に説明される自動注射器の実施形態は、ポータブルであり、直感的であり、かつ使いやすい。自動注射器技術は、固定用量の単回使用筋肉内または皮下注射を要求する多くの使用の適応に様々に適用可能である。自動注射器の実施形態は、人的要素を考慮するように設計される。デバイスの実施形態の増進した人間工学は、高アスペクト比注射器技術と組み合わせて、現代の生活様式に合致するように設計される。本発明の実施形態は、エピネフリンおよび他の薬剤の安全かつ効果的な投薬のためのポータブルおよびウェアラブルな自動注射器の作成を可能にする高アスペクト比自動注射器技術を含む（図１４１のチャート内の例示的値範囲は、複数の薬剤の送達に関するが、他の薬剤の送達に適応するように、必要に応じて調節され得ることに留意されたい）。図１は、従来の自動注射器および本明細書に説明される発明の自動注射器の両方を使用して、自動注射器のアスペクト比が計算される方法の例示的説明図を提供する。本明細書で使用されるように、図１を参照すると、高さ（Ｈ）は、（注射表面と垂直な）注射中に皮膚から離れた自動注射器の最大直線長として画定され、幅（Ｗ）は、（注射表面と平行な）注射中に患者の皮膚と接触している表面上の最小直線長として測定される。
【０００６】
新規の自動注射器技術は、自動注射器が、常に、緊急時に手に入ることを確実にするために、ブレスレット、ペンダント、または他のアクセサリの中に装着され得る自動注射器に容易に組み込まれることができる。安全で使いやすいポータブルかつウェアラブルな自動注射器の目的、ならびに他の目的が、当業者に明白であろう。
【０００７】
一側面では、本発明は、皮下または筋肉内に薬剤用量を送達するためのコンパクトな自動注射器である。自動注射器は、２つの主要構成要素、すなわち、密閉筐体およびカバーから成り得る。密閉筐体の内側に、薬剤を含む薬剤リザーバ、薬剤分注システム（ＭＤＳ）、および針延長システム（ＮＥＳ）が、配置される。注射時、薬剤リザーバおよび針延長システムは、流体接続している。
【０００８】
密閉筐体は、カバーの中に回転可能に保持され得る。一実施形態では、密閉筐体は、設計されたインターフェースを通したユーザ入力に続いて、初期位置から第２の位置までカバーに対して回転させられ得る。密閉筐体またはカバーを備えている構成要素のうちの少なくとも１つは、第１、第２、またはその後の位置を示す印を含み得る。密閉筐体は、密閉筐体が制御された手段でカバーに対して変位させられ得るように、移行中に拘束支持され得る。自動注射器は、その機能がカバーに対して密閉筐体を変位させることを含む、付勢部材をさらに含むことができる。種々の実施形態では、付勢部材は、密閉筐体もしくはカバーと一体的に形成されるばね、または、逆に、密閉筐体とカバーとの間に配置され得る別個の構成要素であり得る。自動注射器は、自動注射器の使用が要求されるときにユーザによって機構が除去または解放されない限り、密閉筐体が変位させられることができないように、連動装置をさらに含み得る。
【０００９】
ユーザが適切な投与を実施することにおいて支援するために、自動注射器は、注射時に正しく向けられるべきである。自動注射器は、標識、触覚表面、材料の色または透明度、および選択側面を示す他の印を用いて、向きを支援し得る。さらに、自動注射器が、回転補助を伴って存在し得る一方で、補助は、向きおよび動作をさらに示すように、輪郭形成される、テクスチャ加工され、コーティングされ、またはそのようなものの組み合わせであり得る。加えて、自動注射器は、薬剤点検のための自動注射器の内部の中への視認窓を含むことができ、それは、ユーザが向きを確立することをさらに支援し得る。
【００１０】
一側面では、密閉筐体は、２つの構成要素、すなわち、一緒に篏合される上部および底部から成る。密閉筐体の内側に、薬剤を含む薬剤リザーバ、薬剤分注システム（ＭＤＳ）、および針延長システム（ＮＥＳ）が、配置される。底半体の実施形態は、注射針が通過するための開口を提供し得る。２つの半体は、それらが内部構成要素を位置付けて固定し得るような幾何学形状である。密閉筐体を構成する２つの半体は、カバーに対して筐体を回転させるための機構またはインターフェースを提供し得る。いくつかの実施形態では、密閉筐体は、ＭＤＳおよびＮＥＳのための固定場所を決定することにおいて補助するとともに、注射時に両方のシステムの解放において補助し得る。加えて、筐体は、注射針が取り付けられる針筒の角度変位また回転を決定するための特徴を提供し得る。密閉筐体は、カバーに対する変位中に整列を提供することにおいて補助し得る。さらに、２つの半体の各々は、２つの半体の組立を支援し、正しい内部整列を確実にするための特徴を提供し得る。密閉筐体は、注射針を拘束支持または支持する手段を提供することができる。加えて、２つの半体は、注射が実施されると、カバーに対する密閉筐体の変位を防止するための連動装置を含むか、または整列させ得る。
【００１１】
薬剤を分注する薬剤分注システム（ＭＤＳ）は、プランジャ、付勢部材、保持装置、およびキーパーから成る。付勢部材は、機械的圧縮ばねに類似し得る。ばねは、注射時に放出されるポテンシャルエネルギーを保った状態で保持され得る。プランジャを変位させる保持装置は、一方の端部上でばねを拘束支持し得、反対端上に固定点を有し得る。保持装置は、自己固定を促進するか、または注射時に解放もしくは係止解除され得る別個の係止機構を用いて定位置で固定され得る。キーパーは、保持装置の反対側のばねの側面を拘束支持し、キーパーに対して保持装置の変位を制御し得る。キーパーに対する保持装置の変位は、分注される薬剤の体積に比例する。ＭＤＳは、注射針に常に流体連通して保持装置に結合される分注針をさらに含み得る。保持装置がプランジャに接触すると、分注針は、プランジャを穿刺し、含まれた薬剤と連通し、したがって、薬剤は、注射針とも流体接続している。解放されると、保持装置は、プランジャをさらに変位させ、リザーバから外へ、分注針を通して、流体接続を通して、かつ注射針を通して、用量を圧送する。可撓性管または剛体および可撓性管の組み合わせが、分注針を注射針と相互接続するために使用され得る。
【００１２】
ある実施形態では、針延長システム（ＮＥＳ）は、湾曲した注射針と、湾曲した注射針を支持するための針筒と、投与中に針筒および注射針を整列させるための針筒ガイドと、針筒を回転させ、湾曲した注射針をまっすぐにし、組織の遠位端を展開するための針筒に結合される付勢部材とを含むことができる。付勢部材は、ねじりばねであり得る。いくつかの実施形態では、針筒の回転軸は、薬剤リザーバの縦軸と実質的に垂直であり得る。ＮＥＳは、針筒キャップ、または注射針の近位端を筒に固定もしくは固定する別の手段を含むことができる。加えて、針筒キャップは、可撓性管類を針に固定することにおいて補助し得る。筒キャップおよび／または筒は、注射の深度に比例する注射針の開始および終了回転位置を決定する手段を提供し得る。ある実施形態では、針筒は、負荷下で保持されている間にねじりばねのポテンシャルエネルギーを維持し、注射時に解放または除去されるように、係止機構を用いて固定され得る。さらに、針筒ガイドは、注射中に針筒の同心性を維持し得る。筐体内の開口を通して湾曲した注射針の展開をトリガするステップは、開口を通して湾曲した注射針の遠位端を駆動するための針筒の回転のために筐体が注射のためのカバーと整列させられるときに自動注射器を手動で圧縮することを含むことができる。有利なこととして、開口を通して注射針の遠位端を後退させるステップは、自動注射器の手動圧縮を解放することに起因する。注射に続いて、カバーに対する密閉筐体の変位は、連動装置を作動させ、自動注射器のさらなる再利用を防止し得る。
【００１３】
ある実施形態では、筐体は、自動注射器の格納中に密閉筐体のために保護を提供するカバーによって保護される。カバーは、密閉筐体が制御された様式でカバーに対して変位させられるように、密閉筐体を拘束支持する手段も提供し得る。種々の実施形態では、付勢部材は、カバーに対して筐体のこの変位を促進する。付勢部材は、カバーもしくは密閉筐体と一体的に形成されるばね、または、逆に、密閉筐体とカバーとの間に配置され得る別個の構成要素であり得る。カバーは、注射のためのトリガ機構として作用または機能し得る。保護およびトリガ機構として作用または機能することに加えて、カバーは、注射を実施するための安定した基部またはプラットフォームも提供し得る。カバーの注射接触表面は、以下の機能性を促進し得る触覚表面を提供し得る：注射中に自動注射器のための安定化基部を提供すること、向きを確立することにおいてユーザを補助すること、ならびに接着剤層の手段または他の取り付け手段を通して自動注射器を注射場所に取り付けること。さらに、カバーによる密閉筐体の拘束支持は、注射中に整列の手段としての役割を果たし得る。密閉筐体が注射を実施するようにカバーに対して変位させられると、カバーは、装備位置から注射位置への自動注射器の手動圧縮中、整列を維持し、ＭＤＳおよびＮＥＳを解放するであろう。注射を実施している間の密閉筐体の手動圧縮は、自動注射器の全高を低減させ、密閉筐体をカバー上の意図されたトリガまたは突出部と接触させる。注射を実施している間のカバーと密閉筐体との間のトリガまたは突出部との接触は、ユーザによる自動注射器の圧縮に起因して、付勢部材の中に貯蔵されたエネルギーを放出し、注射針の展開および薬剤の分注の両方を行い得る。カバーに対して密閉筐体を圧縮すると、注射針の遠位端は、開口を通してカバーを越えて突出し、所望の用量を分注するであろう。いくつかの実施形態では、カバーは、注射針をまっすぐにし、注射中に注射針を支持するための裏打ちを提供する手段としての役割を果たし得る。このようにして、組織の中に展開される注射針の長さは、直線状であり、注射表面と垂直であり得る。加えて、カバーは、手動圧縮中に密閉筐体を誘導し、２つの構成要素の間の整列を補助する手段を提供し、ＭＤＳおよびＮＥＳの適切な解放を確実にすることができる。加えられた圧縮力を解放すると、付勢部材は、カバーに対して密閉筐体を変位させ、自動注射器の高さを増加させ、注射針の遠位端を後退させ、針を隠し、偶発的な針刺しからユーザを保護する。有利なこととして、自動注射器は、自動注射器のその後の手動圧縮を防止し、それによって、自動注射器を単回使用にするための連動装置を含むことができる。連動装置は、筐体およびカバーの中の接触構造であり得る。上で記述される方法は、筐体内の開口を通した湾曲した注射針の展開をトリガするステップと、注射針をまっすぐにし、所望の深度において注射針の遠位端を組織に埋め込むステップと、分注針を用いて薬剤リザーバの穿刺をトリガし、リザーバと湾曲した注射針との間に流体連通を提供するステップと、注射針を通して用量を分注するステップと、その後、注射針の遠位端を後退させるステップとを含む。
【００１４】
ある実施形態では、自動注射器は、任意のその後の動作の前に最初に除去される安全機構を提示されるであろう。注射表面は、安全機構が除去されると、ユーザに露出され、自動注射器向きを確立することにおいてさらに補助し得る。安全機構は、注射シーケンスが最初に該機構を除去することなく開始しないように、密閉筐体が除去に先立ってカバーに対して変位することを防止する手段も提供し得る。代替として、または加えて、安全機構は、偶発的排出が起こった場合に注射針からユーザを保護する、または類似機能性を果たすであろう保護シュラウドもしくはシースを除去し得る。したがって、安全機構の除去は、以下の機能性を提供または促進し得る：自動注射器の向きを確立すること、除去に先立ってカバーに対する密閉筐体の変位を防止するための連動装置を提供すること、注射針からユーザを保護すること、注射針または該注射針からユーザをさらに保護するであろう、連合または結合された構成要素を除去すること、ならびにカバーの注射接触表面上の触覚コーティングまたは表面を保護すること。
【００１５】
注射を実施することに先立って、ＮＥＳ内の注射針およびＭＤＳ内の分注針は、自動注射器の格納中に所定の清浄度基準を維持するように覆われ、または密閉され得る。続いて、自動注射器の一実施形態は、針シースを用いて注射針の遠位端からの保護をユーザに提供し得る。針シースは、注射針を完全に包み込み、使用に先立って針へのいかなる汚染も防止し得る。一実施形態では、針シースは、汚染物質から、組織に埋め込まれるであろう注射器針の遠位部分を保護するために、別の構成要素と併せて使用される。針シースは、偶発的排出が起こった場合に針がユーザを傷害することを防止する手段も提供し得る。他の実施形態では、針シースは、偶発的注射を防止することにおいて補助するように、安全機構に固定され得る。針シースは、固定の手段を提供し、使用に先立って除去を補助し得る。一実施形態では、針シースは、安全機構への針シースの接合を可能にし、注射に先立って除去を支援するスナップ嵌めを有する。代替として、針シースは、注射針が汚染されることを防止する役割のみを果たし得、安全機構は、注射針の偶発的排出からの保護をユーザに提供することができる。
【００１６】
いくつかの実施形態では、自動注射器は、格納中、注射中、および注射後、自動注射器のある機能性を可能にするための内部電源を有し得る。自動注射器は、注射を実施するための可聴命令を提供し得る。加えて、日常のスマートデバイスへの自動注射器の接続性は、追加の機能性を可能にする。接続されたスマートデバイスは、注射を実施するための視覚および／または聴覚命令を表示し得る。ある実施形態は、ユーザが温度および自動注射器の場所を監視することを可能にし得る。加えて、接続されたスマートデバイスは、ユーザが、他の自動注射器が近くにあるかどうかを確認することを可能にし得る。追加の実施形態は、注射が開始されると、スマートデバイスが緊急時対応要員または最近親者に連絡することを可能にし得る。さらに、自動注射器についての情報が、製造業者によって遠隔で監視され得る。
【００１７】
一側面では、本発明は、皮下または筋肉内に薬剤用量を送達するためのコンパクトな高アスペクト比自動注射器に関する。自動注射器は、筐体と、筐体内に配置され、用量を含むように適合された薬剤リザーバを含む薬剤分注システムと、薬剤リザーバに結合された針延長機構であって、針の展開中にまっすぐにされ、自動注射器による用量の分注を促進するように適合される湾曲した注射針を備えている針延長機構とを含むことができる。
【００１８】
上記の側面のいくつかの実施形態では、筐体は、カバーの中に回転可能に保持された密閉筐体を含む。筐体は、ユーザ入力を受信し、第１の係止位置から第２の係止解除位置までのカバーに対する筐体の手動回転を促進するためのインターフェースを含むこともできる。ある場合、筐体、カバー、ラベル、および／またはユーザに直接見える構成要素は、係止位置、係止解除位置、および装備位置を示す印を含む。自動注射器は、筐体が係止解除位置まで回転させられると、密閉筐体がカバーに対して軸方向に自動的に変位させられ、自動注射器の高さを増加させるように、付勢部材を含むこともできる。付勢部材は、カバーと一体的に形成された筐体と一体的に形成され、筐体とカバーとの間に配置されるばねを含むことができる。いくつかの事例では、自動注射器は、筐体が、連動装置の除去なしに、カバーに対して回転させられること、またはカバーに対して軸方向に変位させられることができないように、連動装置も含む。ある場合、装備位置における自動注射器の手動圧縮は、自動注射器の高さを低減させ、筐体を通して注射針の遠位端をまっすぐにして延長し、注射針を通して用量を分注し、連動装置を起動する機構を起動する。そのような場合、手動圧縮の解放時、付勢部材は、カバーに対して軸方向に筐体を自動的に変位させ、自動注射器の高さを増加させ、注射針の遠位端を筐体の中に後退させることができる。自動注射器は、自動注射器のその後の手動圧縮を防止し、それによって、自動注射器を単回使用にするための連動装置を含むこともできる。連動装置は、筐体およびカバーの中に接触構造を含むことができる。
【００１９】
上記の側面のいくつかの実施形態では、薬剤分注システムは、薬剤リザーバ内にあり、用量を保持するための密閉空洞を形成するプランジャをさらに含むことができる。薬剤分注システムは、注射針と流体連通している分注針を含むことができる。ある場合、自動注射器は、分注針を注射針と相互接続する可撓性管を含むことができる。薬剤分注システムは、係止機構が解放されると、ばねが保持装置を変位させ、分注針にプランジャを穿刺させて用量との流体連通を提供するように、ばねと、保持装置と、係止機構とを含むこともできる。ある場合、カバーは、保持装置および係止機構を解放するための第２のトリガを含む。ばね（例えば、圧縮ばね）は、バイアルから外へ分注針を通して注射針までプランジャをさらに変位させ得る。
【００２０】
上記の側面のいくつかの実施形態では、針延長機構は、湾曲した注射針を支持するための針筒と、筒を回転させて湾曲した注射針の巻きを解くための筒に結合されたばね（例えば、ねじりばね）と、筒の不慮の回転を防止するための筒係止機構とを含むこともできる。カバーは、筒の回転中に注射針の遠位端が通過する開口を形成し、注射針をまっすぐにすることができる。ある場合、筒係止機構の解放は、ばねが筒を回転させ、注射針を展開することを可能にする。ある場合、カバーは、針筒係止機構を解放するための第１のトリガを含む。針延長機構は、注射針の近位端を針筒に固定するための筒キャップも含み得る。
【００２１】
別の側面では、本発明は、皮下または筋肉内に薬剤用量を送達するためのコンパクトな高アスペクト比自動注射器を動作させる方法に関する。自動注射器は、筐体と、用量を含むように適合された薬剤リザーバを含む薬剤分注システムと、薬剤リザーバに結合された針延長機構であって、湾曲した注射針を含む針延長機構とを含むことができる。方法は、筐体のカバー内の開口を通した湾曲した注射針の遠位端の展開をトリガし、注射針をまっすぐにするステップと、薬剤リザーバの穿刺をトリガし、リザーバと湾曲した注射針との間に流体連通を提供するステップと、所望の注射場所において注射針を通して用量を分注するステップと、その後、注射針の遠位端を自動注射器の中に後退させるステップとを含むことができる。
【００２２】
上記の側面のいくつかの実施形態では、自動注射器は、筐体が、連動装置の除去なしに、カバーに対して回転させられること、またはカバーに対して軸方向に変位させられることができないように、連動装置をさらに含む。ある場合、筐体は、カバーの中に回転可能に保持された密閉筐体を含むことができ、方法は、第１の係止位置から、密閉筐体が、装備位置までカバーに対して軸方向に自動的に変位させられ、自動注射器の高さを増加させる第２の係止解除位置まで、カバーに対して筐体を手動で回転させることをさらに含む。いくつかの事例では、方法は、筐体、カバー、ラベル、およびユーザに直接見える構成要素のうちの少なくとも１つの上の印に基づいて、係止位置、係止解除位置、および装備位置を決定するステップを含む。方法はさらに、自動注射器のトリガに先立って、カバーを所望の注射場所に接着することをさらに含むことができる。いくつかの事例では、薬剤リザーバの穿刺をトリガするステップは、薬剤分注機構を起動し、分注針の遠位端を用いた薬剤リザーバ内のプランジャの穿刺をトリガすることを含む自動注射器が装備位置にあるときに自動注射器を手動で圧縮することを含む。薬剤リザーバの穿刺をトリガするステップは、注射針までリザーバから外に用量を圧送することをさらに含むことができる。
【００２３】
上記の側面のいくつかの実施形態では、自動注射器が装備位置にあるときに自動注射器を手動で圧縮するステップは、針延長機構を起動し、カバー内の開口を通して湾曲した注射針の展開をトリガすることをさらに含む。ある場合、カバー内の開口を通して湾曲した注射針を展開することを含む、針延長機構を起動するステップは、針筒を回転させ、開口を通して湾曲した注射針の遠位端を駆動することをさらに含む。ある場合、針延長機構を起動するステップは、カバー内の開口を通して湾曲した注射針の遠位端を展開し、注射針をまっすぐにすることを含む。注射針の遠位端を自動注射器の中に後退させるステップは、自動注射器の手動圧縮を解放することに起因し得る。方法は、用量を分注した後、所望の注射場所から自動注射器を除去するステップを含むこともできる。方法はまた、針の後退後に自動注射器を自動的に連動させ、自動注射器の再利用および注射針の遠位端の露出を防止するステップを含むこともできる。方法は、単回使用後に自動注射器を廃棄するステップを含むこともできる。
【図面の簡単な説明】
【００２４】
図面では、参照記号は、概して、異なる図の全体を通して同一の部品を指す。また、図面は、必ずしも一定の縮尺ではなく、代わりに、概して、本発明の原理を図示することが強調される。以下の説明では、本発明の種々の実施形態は、以下の図面を参照して説明される。
【００２５】
【図１】図１は、種々の実施形態による、例示的高アスペクト比自動注射器と対比される既存の自動注射器の形状因子アスペクト比の比較である。
【００２６】
【図２】図２は、種々の実施形態による、自動注射器を用いたユーザの入力されたアクションおよびその後の自動注射器出力を示す注射シーケンスの描写である。
【００２７】
【図３】図３は、種々の実施形態による、格納または係止位置における自動注射器の概略等角図である。
【００２８】
【図４】図４は、種々の実施形態による、格納または係止位置における自動注射器の概略側面図である。
【００２９】
【図５】図５は、種々の実施形態による、自動注射器の内部の概略等角分解図である。
【００３０】
【図６】図６は、種々の実施形態による、自動注射器の内部の概略側面分解図である。
【００３１】
【図７】図７−１１は、（例えば、図２に描写される）種々の実施形態による、注射を実施することにおける連続ステップの概略側面図である。
【図８】図７−１１は、（例えば、図２に描写される）種々の実施形態による、注射を実施することにおける連続ステップの概略側面図である。
【図９】図７−１１は、（例えば、図２に描写される）種々の実施形態による、注射を実施することにおける連続ステップの概略側面図である。
【図１０】図７−１１は、（例えば、図２に描写される）種々の実施形態による、注射を実施することにおける連続ステップの概略側面図である。
【図１１】図７−１１は、（例えば、図２に描写される）種々の実施形態による、注射を実施することにおける連続ステップの概略側面図である。
【００３２】
【図１２】図１２−１４０は、種々の実施形態による、自動注射器の種々のシステムアセンブリおよび構成要素の概略図である。
【図１３】図１２−１４０は、種々の実施形態による、自動注射器の種々のシステムアセンブリおよび構成要素の概略図である。
【図１４】図１２−１４０は、種々の実施形態による、自動注射器の種々のシステムアセンブリおよび構成要素の概略図である。
【図１５】図１２−１４０は、種々の実施形態による、自動注射器の種々のシステムアセンブリおよび構成要素の概略図である。
【図１６】図１２−１４０は、種々の実施形態による、自動注射器の種々のシステムアセンブリおよび構成要素の概略図である。
【図１７】図１２−１４０は、種々の実施形態による、自動注射器の種々のシステムアセンブリおよび構成要素の概略図である。
【図１８】図１２−１４０は、種々の実施形態による、自動注射器の種々のシステムアセンブリおよび構成要素の概略図である。
【図１９】図１２−１４０は、種々の実施形態による、自動注射器の種々のシステムアセンブリおよび構成要素の概略図である。
【図２０】図１２−１４０は、種々の実施形態による、自動注射器の種々のシステムアセンブリおよび構成要素の概略図である。
【図２１】図１２−１４０は、種々の実施形態による、自動注射器の種々のシステムアセンブリおよび構成要素の概略図である。
【図２２】図１２−１４０は、種々の実施形態による、自動注射器の種々のシステムアセンブリおよび構成要素の概略図である。
【図２３】図１２−１４０は、種々の実施形態による、自動注射器の種々のシステムアセンブリおよび構成要素の概略図である。
【図２４】図１２−１４０は、種々の実施形態による、自動注射器の種々のシステムアセンブリおよび構成要素の概略図である。
【図２５】図１２−１４０は、種々の実施形態による、自動注射器の種々のシステムアセンブリおよび構成要素の概略図である。
【図２６】図１２−１４０は、種々の実施形態による、自動注射器の種々のシステムアセンブリおよび構成要素の概略図である。
【図２７】図１２−１４０は、種々の実施形態による、自動注射器の種々のシステムアセンブリおよび構成要素の概略図である。
【図２８】図１２−１４０は、種々の実施形態による、自動注射器の種々のシステムアセンブリおよび構成要素の概略図である。
【図２９】図１２−１４０は、種々の実施形態による、自動注射器の種々のシステムアセンブリおよび構成要素の概略図である。
【図３０】図１２−１４０は、種々の実施形態による、自動注射器の種々のシステムアセンブリおよび構成要素の概略図である。
【図３１】図１２−１４０は、種々の実施形態による、自動注射器の種々のシステムアセンブリおよび構成要素の概略図である。
【図３２】図１２−１４０は、種々の実施形態による、自動注射器の種々のシステムアセンブリおよび構成要素の概略図である。
【図３３】図１２−１４０は、種々の実施形態による、自動注射器の種々のシステムアセンブリおよび構成要素の概略図である。
【図３４】図１２−１４０は、種々の実施形態による、自動注射器の種々のシステムアセンブリおよび構成要素の概略図である。
【図３５】図１２−１４０は、種々の実施形態による、自動注射器の種々のシステムアセンブリおよび構成要素の概略図である。
【図３６】図１２−１４０は、種々の実施形態による、自動注射器の種々のシステムアセンブリおよび構成要素の概略図である。
【図３７】図１２−１４０は、種々の実施形態による、自動注射器の種々のシステムアセンブリおよび構成要素の概略図である。
【図３８】図１２−１４０は、種々の実施形態による、自動注射器の種々のシステムアセンブリおよび構成要素の概略図である。
【図３９】図１２−１４０は、種々の実施形態による、自動注射器の種々のシステムアセンブリおよび構成要素の概略図である。
【図４０】図１２−１４０は、種々の実施形態による、自動注射器の種々のシステムアセンブリおよび構成要素の概略図である。
【図４１】図１２−１４０は、種々の実施形態による、自動注射器の種々のシステムアセンブリおよび構成要素の概略図である。
【図４２】図１２−１４０は、種々の実施形態による、自動注射器の種々のシステムアセンブリおよび構成要素の概略図である。
【図４３】図１２−１４０は、種々の実施形態による、自動注射器の種々のシステムアセンブリおよび構成要素の概略図である。
【図４４】図１２−１４０は、種々の実施形態による、自動注射器の種々のシステムアセンブリおよび構成要素の概略図である。
【図４５】図１２−１４０は、種々の実施形態による、自動注射器の種々のシステムアセンブリおよび構成要素の概略図である。
【図４６】図１２−１４０は、種々の実施形態による、自動注射器の種々のシステムアセンブリおよび構成要素の概略図である。
【図４７】図１２−１４０は、種々の実施形態による、自動注射器の種々のシステムアセンブリおよび構成要素の概略図である。
【図４８】図１２−１４０は、種々の実施形態による、自動注射器の種々のシステムアセンブリおよび構成要素の概略図である。
【図４９】図１２−１４０は、種々の実施形態による、自動注射器の種々のシステムアセンブリおよび構成要素の概略図である。
【図５０】図１２−１４０は、種々の実施形態による、自動注射器の種々のシステムアセンブリおよび構成要素の概略図である。
【図５１】図１２−１４０は、種々の実施形態による、自動注射器の種々のシステムアセンブリおよび構成要素の概略図である。
【図５２】図１２−１４０は、種々の実施形態による、自動注射器の種々のシステムアセンブリおよび構成要素の概略図である。
【図５３】図１２−１４０は、種々の実施形態による、自動注射器の種々のシステムアセンブリおよび構成要素の概略図である。
【図５４】図１２−１４０は、種々の実施形態による、自動注射器の種々のシステムアセンブリおよび構成要素の概略図である。
【図５５】図１２−１４０は、種々の実施形態による、自動注射器の種々のシステムアセンブリおよび構成要素の概略図である。
【図５６】図１２−１４０は、種々の実施形態による、自動注射器の種々のシステムアセンブリおよび構成要素の概略図である。
【図５７】図１２−１４０は、種々の実施形態による、自動注射器の種々のシステムアセンブリおよび構成要素の概略図である。
【図５８】図１２−１４０は、種々の実施形態による、自動注射器の種々のシステムアセンブリおよび構成要素の概略図である。
【図５９】図１２−１４０は、種々の実施形態による、自動注射器の種々のシステムアセンブリおよび構成要素の概略図である。
【図６０】図１２−１４０は、種々の実施形態による、自動注射器の種々のシステムアセンブリおよび構成要素の概略図である。
【図６１】図１２−１４０は、種々の実施形態による、自動注射器の種々のシステムアセンブリおよび構成要素の概略図である。
【図６２】図１２−１４０は、種々の実施形態による、自動注射器の種々のシステムアセンブリおよび構成要素の概略図である。
【図６３】図１２−１４０は、種々の実施形態による、自動注射器の種々のシステムアセンブリおよび構成要素の概略図である。
【図６４】図１２−１４０は、種々の実施形態による、自動注射器の種々のシステムアセンブリおよび構成要素の概略図である。
【図６５】図１２−１４０は、種々の実施形態による、自動注射器の種々のシステムアセンブリおよび構成要素の概略図である。
【図６６】図１２−１４０は、種々の実施形態による、自動注射器の種々のシステムアセンブリおよび構成要素の概略図である。
【図６７】図１２−１４０は、種々の実施形態による、自動注射器の種々のシステムアセンブリおよび構成要素の概略図である。
【図６８】図１２−１４０は、種々の実施形態による、自動注射器の種々のシステムアセンブリおよび構成要素の概略図である。
【図６９】図１２−１４０は、種々の実施形態による、自動注射器の種々のシステムアセンブリおよび構成要素の概略図である。
【図７０】図１２−１４０は、種々の実施形態による、自動注射器の種々のシステムアセンブリおよび構成要素の概略図である。
【図７１】図１２−１４０は、種々の実施形態による、自動注射器の種々のシステムアセンブリおよび構成要素の概略図である。
【図７２】図１２−１４０は、種々の実施形態による、自動注射器の種々のシステムアセンブリおよび構成要素の概略図である。
【図７３】図１２−１４０は、種々の実施形態による、自動注射器の種々のシステムアセンブリおよび構成要素の概略図である。
【図７４】図１２−１４０は、種々の実施形態による、自動注射器の種々のシステムアセンブリおよび構成要素の概略図である。
【図７５】図１２−１４０は、種々の実施形態による、自動注射器の種々のシステムアセンブリおよび構成要素の概略図である。
【図７６】図１２−１４０は、種々の実施形態による、自動注射器の種々のシステムアセンブリおよび構成要素の概略図である。
【図７７】図１２−１４０は、種々の実施形態による、自動注射器の種々のシステムアセンブリおよび構成要素の概略図である。
【図７８】図１２−１４０は、種々の実施形態による、自動注射器の種々のシステムアセンブリおよび構成要素の概略図である。
【図７９】図１２−１４０は、種々の実施形態による、自動注射器の種々のシステムアセンブリおよび構成要素の概略図である。
【図８０】図１２−１４０は、種々の実施形態による、自動注射器の種々のシステムアセンブリおよび構成要素の概略図である。
【図８１】図１２−１４０は、種々の実施形態による、自動注射器の種々のシステムアセンブリおよび構成要素の概略図である。
【図８２】図１２−１４０は、種々の実施形態による、自動注射器の種々のシステムアセンブリおよび構成要素の概略図である。
【図８３】図１２−１４０は、種々の実施形態による、自動注射器の種々のシステムアセンブリおよび構成要素の概略図である。
【図８４】図１２−１４０は、種々の実施形態による、自動注射器の種々のシステムアセンブリおよび構成要素の概略図である。
【図８５】図１２−１４０は、種々の実施形態による、自動注射器の種々のシステムアセンブリおよび構成要素の概略図である。
【図８６】図１２−１４０は、種々の実施形態による、自動注射器の種々のシステムアセンブリおよび構成要素の概略図である。
【図８７】図１２−１４０は、種々の実施形態による、自動注射器の種々のシステムアセンブリおよび構成要素の概略図である。
【図８８】図１２−１４０は、種々の実施形態による、自動注射器の種々のシステムアセンブリおよび構成要素の概略図である。
【図８９】図１２−１４０は、種々の実施形態による、自動注射器の種々のシステムアセンブリおよび構成要素の概略図である。
【図９０】図１２−１４０は、種々の実施形態による、自動注射器の種々のシステムアセンブリおよび構成要素の概略図である。
【図９１】図１２−１４０は、種々の実施形態による、自動注射器の種々のシステムアセンブリおよび構成要素の概略図である。
【図９２】図１２−１４０は、種々の実施形態による、自動注射器の種々のシステムアセンブリおよび構成要素の概略図である。
【図９３】図１２−１４０は、種々の実施形態による、自動注射器の種々のシステムアセンブリおよび構成要素の概略図である。
【図９４】図１２−１４０は、種々の実施形態による、自動注射器の種々のシステムアセンブリおよび構成要素の概略図である。
【図９５】図１２−１４０は、種々の実施形態による、自動注射器の種々のシステムアセンブリおよび構成要素の概略図である。
【図９６】図１２−１４０は、種々の実施形態による、自動注射器の種々のシステムアセンブリおよび構成要素の概略図である。
【図９７】図１２−１４０は、種々の実施形態による、自動注射器の種々のシステムアセンブリおよび構成要素の概略図である。
【図９８】図１２−１４０は、種々の実施形態による、自動注射器の種々のシステムアセンブリおよび構成要素の概略図である。
【図９９】図１２−１４０は、種々の実施形態による、自動注射器の種々のシステムアセンブリおよび構成要素の概略図である。
【図１００】図１２−１４０は、種々の実施形態による、自動注射器の種々のシステムアセンブリおよび構成要素の概略図である。
【図１０１】図１２−１４０は、種々の実施形態による、自動注射器の種々のシステムアセンブリおよび構成要素の概略図である。
【図１０２】図１２−１４０は、種々の実施形態による、自動注射器の種々のシステムアセンブリおよび構成要素の概略図である。
【図１０３】図１２−１４０は、種々の実施形態による、自動注射器の種々のシステムアセンブリおよび構成要素の概略図である。
【図１０４】図１２−１４０は、種々の実施形態による、自動注射器の種々のシステムアセンブリおよび構成要素の概略図である。
【図１０５】図１２−１４０は、種々の実施形態による、自動注射器の種々のシステムアセンブリおよび構成要素の概略図である。
【図１０６】図１２−１４０は、種々の実施形態による、自動注射器の種々のシステムアセンブリおよび構成要素の概略図である。
【図１０７】図１２−１４０は、種々の実施形態による、自動注射器の種々のシステムアセンブリおよび構成要素の概略図である。
【図１０８】図１２−１４０は、種々の実施形態による、自動注射器の種々のシステムアセンブリおよび構成要素の概略図である。
【図１０９】図１２−１４０は、種々の実施形態による、自動注射器の種々のシステムアセンブリおよび構成要素の概略図である。
【図１１０】図１２−１４０は、種々の実施形態による、自動注射器の種々のシステムアセンブリおよび構成要素の概略図である。
【図１１１】図１２−１４０は、種々の実施形態による、自動注射器の種々のシステムアセンブリおよび構成要素の概略図である。
【図１１２】図１２−１４０は、種々の実施形態による、自動注射器の種々のシステムアセンブリおよび構成要素の概略図である。
【図１１３】図１２−１４０は、種々の実施形態による、自動注射器の種々のシステムアセンブリおよび構成要素の概略図である。
【図１１４】図１２−１４０は、種々の実施形態による、自動注射器の種々のシステムアセンブリおよび構成要素の概略図である。
【図１１５】図１２−１４０は、種々の実施形態による、自動注射器の種々のシステムアセンブリおよび構成要素の概略図である。
【図１１６】図１２−１４０は、種々の実施形態による、自動注射器の種々のシステムアセンブリおよび構成要素の概略図である。
【図１１７】図１２−１４０は、種々の実施形態による、自動注射器の種々のシステムアセンブリおよび構成要素の概略図である。
【図１１８】図１２−１４０は、種々の実施形態による、自動注射器の種々のシステムアセンブリおよび構成要素の概略図である。
【図１１９】図１２−１４０は、種々の実施形態による、自動注射器の種々のシステムアセンブリおよび構成要素の概略図である。
【図１２０】図１２−１４０は、種々の実施形態による、自動注射器の種々のシステムアセンブリおよび構成要素の概略図である。
【図１２１】図１２−１４０は、種々の実施形態による、自動注射器の種々のシステムアセンブリおよび構成要素の概略図である。
【図１２２】図１２−１４０は、種々の実施形態による、自動注射器の種々のシステムアセンブリおよび構成要素の概略図である。
【図１２３】図１２−１４０は、種々の実施形態による、自動注射器の種々のシステムアセンブリおよび構成要素の概略図である。
【図１２４】図１２−１４０は、種々の実施形態による、自動注射器の種々のシステムアセンブリおよび構成要素の概略図である。
【図１２５】図１２−１４０は、種々の実施形態による、自動注射器の種々のシステムアセンブリおよび構成要素の概略図である。
【図１２６】図１２−１４０は、種々の実施形態による、自動注射器の種々のシステムアセンブリおよび構成要素の概略図である。
【図１２７】図１２−１４０は、種々の実施形態による、自動注射器の種々のシステムアセンブリおよび構成要素の概略図である。
【図１２８】図１２−１４０は、種々の実施形態による、自動注射器の種々のシステムアセンブリおよび構成要素の概略図である。
【図１２９】図１２−１４０は、種々の実施形態による、自動注射器の種々のシステムアセンブリおよび構成要素の概略図である。
【図１３０】図１２−１４０は、種々の実施形態による、自動注射器の種々のシステムアセンブリおよび構成要素の概略図である。
【図１３１】図１２−１４０は、種々の実施形態による、自動注射器の種々のシステムアセンブリおよび構成要素の概略図である。
【図１３２】図１２−１４０は、種々の実施形態による、自動注射器の種々のシステムアセンブリおよび構成要素の概略図である。
【図１３３】図１２−１４０は、種々の実施形態による、自動注射器の種々のシステムアセンブリおよび構成要素の概略図である。
【図１３４】図１２−１４０は、種々の実施形態による、自動注射器の種々のシステムアセンブリおよび構成要素の概略図である。
【図１３５】図１２−１４０は、種々の実施形態による、自動注射器の種々のシステムアセンブリおよび構成要素の概略図である。
【図１３６】図１２−１４０は、種々の実施形態による、自動注射器の種々のシステムアセンブリおよび構成要素の概略図である。
【図１３７】図１２−１４０は、種々の実施形態による、自動注射器の種々のシステムアセンブリおよび構成要素の概略図である。
【図１３８】図１２−１４０は、種々の実施形態による、自動注射器の種々のシステムアセンブリおよび構成要素の概略図である。
【図１３９】図１２−１４０は、種々の実施形態による、自動注射器の種々のシステムアセンブリおよび構成要素の概略図である。
【図１４０】図１２−１４０は、種々の実施形態による、自動注射器の種々のシステムアセンブリおよび構成要素の概略図である。
【００３３】
【図１４１】図１４１は、種々の実施形態による、自動注射器のあるパラメータの例示的値範囲を列挙するチャートである。
【発明を実施するための形態】
【００３４】
自動注射器１の第１の実施形態が、下で説明される。自動注射器１との例示的ユーザ相互作用および入力が、最初に説明され、その後、自動注射器１の構成要素の例示的内部機構、およびそれらの相互作用が続く。
【００３５】
ユーザが適切な投与を実施することにおいて支援するために、自動注射器１は、注射時に正しく向けられるべきである。自動注射器１は、標識、触覚表面、材料の色または透明度、および／または、選択側面を示す他の印を用いて、向きを支援し得る。さらに、自動注射器１は、それ自身に回転補助ＭＣ−３０１（例えば、図２９参照）を提供し得、それは、向きおよび動作をさらに示すために、輪郭形成、テクスチャ加工、コーティングされ得る（またはそのようなものの組み合わせである）。加えて、自動注射器１は、薬剤点検のための自動注射器１の内部の中への視認窓を含むことができ、視認窓は、適切な向きを確立することにおいてユーザをさらに支援し得る。
【００３６】
ある実施形態では、自動注射器１は、任意のその後の動作の前に最初に除去されるべき安全機構ＳＳ−２００（例えば、図３−７参照）を含む。注射表面ＭＣ−１２１（例えば、図１７参照）は、安全機構ＳＳ−２００が除去されると、ユーザに露出され、適切な向きを確立することにおいてさらに補助し得る。安全機構ＳＳ−２００は、密閉筐体ＭＣ−２００、ＭＣ−３００（例えば、図３−６参照）が除去に先立ってカバーＭＣ−１００（例えば、図３−６参照）に対して変位することを防止する手段も提供し得、それによって、注射シーケンスは、最初に該機構ＳＳ−２００を除去することなく開始しないこともある。代替として、または加えて、安全機構ＳＳ−２００は、偶発的排出が起こった場合、または同様の機能性を果たす保護シュラウドもしくはシースＮＥＳ−１００（例えば、図３８−４０参照）を除去した場合、注射針ＮＥＳ−７００（例えば、図６５参照）からユーザを保護し得る。したがって、安全機構ＳＳ−２００の除去は、以下の機能性を提供または促進し得る：自動注射器１の向きを確立すること、除去に先立ってカバーＭＣ−１００に対する密閉筐体ＭＣ−２００、ＭＣ−３００の変位を防止するための連動装置ＳＳ−２０４（例えば、図１０１−１０２参照）を提供すること、注射針ＮＥＳ−７００からユーザを保護すること、注射針ＮＥＳ−７００をさらに保護し、または該注射針ＮＥＳ−７００からユーザをさらに保護するであろう連合または結合された構成要素ＮＥＳ−１００を除去すること、ならびに、カバーＭＣ−１００の注射接触表面ＭＣ−１２１（例えば、図１７参照）上の触覚コーティングまたは表面を保護すること。
【００３７】
種々の実施形態では、下で開示される内部構成要素に加えて、自動注射器１は、２つの主要部品、密閉筐体ＭＣ−２００、ＭＣ−３００を含み、それらは、カップ形カバーＭＣ−１００の中に回転可能に保持され、カップ形カバーＭＣ−１００は、底側または注射接触表面ＭＣ−１２１も形成する。密閉筐体ＭＣ−２００、ＭＣ−３００は、上側ＭＣ−３００半体および下側ＭＣ−２００半体から作製され、それらは、十分な接着または強度を提供する超音波溶接の手段または代替手段を通して一緒に接合される。いくつかの実施形態では、上側ＭＣ−３００半体と下側ＭＣ−２００半体との間の接合は、それが気密シールであるようなものであり得る。さらに、筐体ＭＣ−２００、ＭＣ−３００、または筐体ＭＣ−２００、ＭＣ−３００を構成するその後の半体のうちの１つは、タブＭＣ−２１０（例えば、図１２参照）を含み得、それらは、動作中、カバーＭＣ−１００内で筐体ＭＣ−２００、ＭＣ−３００を誘導および拘束する成型または形成された突出部である。密閉筐体ＭＣ−２００、ＭＣ−３００は、その後の注射を実施するユーザのための一次インターフェースとして機能する。密閉筐体を形成する２つの半体は、それらが内部構成要素を位置付けて固定し得るような幾何学形状である（例えば、ＭＣ−２０１、ＭＣ−２０２、ＭＣ−２０４、ＭＣ−２０５、ＭＣ−２０６、ＭＣ−２０７、ＭＣ−２０８、ＭＣ−２１１、ＭＣ−２１３、ＭＣ−２１４、ＭＣ−２１６、ＭＣ−２１７、ＭＣ−２１８、ＭＣ−３０４、ＭＣ−３０５、ＭＣ−３０９、ＭＣ−３１０、ＭＣ−３１１、ＭＣ−３１２、ＭＣ−３１３、ＭＣ−３１４、ＭＣ−３１６）。
【００３８】
カバーＭＣ−１００は、筐体ＭＣ−２００、ＭＣ−３００の周囲に保護シュラウドを提供し、回転のために筐体を支持する。いくつかの実施形態では、注射を実施または開始することにおける第１のステップは、安全機構ＳＳ−２００を除去することである。次のステップは、所定の場所にカバーＭＣ−１００の注射接触表面ＭＣ−１２１を設置することであり得る。前に記述されたように、安全機構ＳＳ−２００は、自動注射器１の全体的向きを確立することにおいてユーザを補助し得、したがって、安全機構ＳＳ−２００の除去から、カバーＭＣ−１００の注射接触表面ＭＣ−１２１が露出されると、それは、この向きをさらに確立し得る。カバーＭＣ−１００の注射接触表面ＭＣ−１２１は、以下の機能性を促進し得る触覚表面を提供し得る：注射中の自動注射器１のための安定化基部を提供すること、向きを確立することにおいてユーザを補助すること、および／または、接着剤の手段もしくは他の取り付け手段を通して自動注射器１を注射場所に取り付ける。
【００３９】
種々の実施形態では、カバーＭＣ−１００は、起動中にカバーＭＣ−１００から離れるように筐体ＭＣ−２００、ＭＣ−３００を付勢し、使用を促進するために、その中に配置または形成されたばねＳＳ−３００（例えば、図５−６参照）を有する。カバーＭＣ−１００の側壁は、チャネル、スロット、戻り止め等ＭＣ−１０３（例えば、図１５参照）を含み得、それらは、異なる位置ＭＣ−１１７、ＭＣ−１１８、ＭＣ−１１９、ＭＣ−１２０（図１８参照）、または、筐体ＭＣ−２００、ＭＣ−３００の側壁上のタブもしくは突出部ＭＣ−２１０（例えば、２１−２２参照）または筐体ＭＣ−２００、ＭＣ−３００を形成し、整列を維持し、種々の位置（例えば、係止、係止解除、装備、および注射）の間の相対移動を制御するそのような構成要素と協働する位置（例えば、係止、係止解除、装備、および注射）に対応する。カバーＭＣ−１００に形成されるチャネル、スロット、戻り止め等ＭＣ−１０３は、自動注射器１のねじり、拡張、圧縮、およびその後の拡張中、筐体ＭＣ−２００、ＭＣ−３００を誘導し、注射方法および使用の異なる段階を促進する。
加えて、カバーＭＣ−１００は、連動装置ＳＳ−１００（例えば、図１１−１４参照）を起動する手段を促進し、それによって、カバーＭＣ１００が注射位置ＭＣ−１２０にあり、注射が開始し、カバーＭＣ−１００に対する筐体ＭＣ−２００、ＭＣ−３００のその後の拡張が起こると、自動注射器１が２回圧縮されず、自動注射器１を単回使用にする。トリガ機構ＭＣ−１０９（例えば、図１９−２０参照）は、注射針ＮＥＳ−７００が展開されたとしても、鋭器損傷防止特徴が機能することを確実にするために、連動装置ＳＳ−１００が、常に、ＭＤＳまたはＮＥＳの前に起動されるであろうように、設計される。カバーＭＣ−１００は、自動注射器１の組立または動作管理のために、筐体ＭＣ−２００、ＭＣ−３００の向きを提供するように、形成、成型、または打抜加工された幾何学形状ＭＣ−１０１、ＭＣ−１０２、または印を含み得る。
【００４０】
種々の実施形態では、自動注射器１が格納位置ＭＣ−１１７にあるとき、使用に先立って、自動注射器１は、ばねＳＳ−３００が圧縮され、自動注射器１が拘束される係止位置にある。係止位置ＭＣ−１１７から係止解除位置ＭＣ−１１８まで移動するために、ユーザは、筐体ＭＣ−２００、ＭＣ−３００の上面表面ＭＣ−３００上に形成される握持表面ＭＣ−３０１（例えば、１つ以上のくぼみ、突出部、テクスチャ、コーティング、もしくは組み合わせ等）に起動力を加えることによって、筐体ＭＣ−２００、ＭＣ−３００を手動で回転させる。ユーザが加えた力は、係止位置ＭＣ−１１７から係止解除位置ＭＣ−１１８までカバーＭＣ−１００に対して密閉筐体ＭＣ−２００、ＭＣ−３００を変位させる。筐体ＭＣ−２００、ＭＣ−３００の側壁およびカバーＭＣ−１００上の整列マーク等の印は、自動注射器１の異なる位置（ＭＣ−１１７、ＭＣ−１１８、ＭＣ−１１９、ＭＣ−１２０）を示し得る。整列印は、外面から観察可能であるラベルまたは他の自動注射器１の構成要素（例えば、連動装置ＳＳ−１００）を使用しても、示され得る。筐体ＭＣ−２００、ＭＣ−３００が係止位置ＭＣ−１１７から係止解除位置ＭＣ−１１８まで回転させられると、筐体ＭＣ−２００、ＭＣ−３００は、カバーＭＣ−１００から離れるように付勢され、自動注射器１は、装備位置ＭＣ−１１９まで拡張する。係止解除位置ＭＣ−１１８から装備位置ＭＣ−１１９までの拡張は、ユーザが、係止位置ＭＣ−１１７から係止解除位置ＭＣ−１１８まで自動注射器１を移動させるための起動力のみを握持表面ＭＣ−３０１に加える必要があるように、付勢部材ＳＳ−３００内の貯蔵されたポテンシャルエネルギーを用いて自動的に実施される。カバーＭＣ−１００に対する密閉筐体ＭＣ−２００、ＭＣ−３００の自動平行移動および回転は、密閉筐体ＭＣ−２００、ＭＣ−３００上のタブまたは突出部ＭＣ−２１０と、カバーＭＣ−１００上のチャネル、スロット、戻り止め等ＭＣ−１０３とによって、拘束および誘導され得る。
【００４１】
種々の実施形態では、筐体ＭＣ−２００、ＭＣ−３００が、装備位置ＭＣ−１１９に来ると、筐体ＭＣ−２００、ＭＣ−３００上のタブまたは突出部ＭＣ−２１０と、カバー壁ＭＣ−１０３上のガイドとは、筐体ＭＣ−２００、ＭＣ−３００が係止解除位置ＭＣ−１１８および係止位置ＭＣ−１１７に戻るように回転させられることを防止する。装備位置ＭＣ−１１９では、自動注射器１は、注射位置ＭＣ−１２０に向かって垂直にのみ変位させられることができる。自動注射器１の向きは、上側ＭＣ−３００が上向きに（すなわち、注射場所から離れるように）面しており、カバーＭＣ−１００の平坦な底面ＭＣ−１２１が注射部位に対するようなものである。薬剤を注射するために、ユーザは、上側ＭＣ−３００と垂直な法線力を加え、密閉筐体ＭＣ−２００、ＭＣ−３００をカバーＭＣ−１００の中に押し、自動注射器１の起動シーケンスおよび薬剤の注射を開始する。連動装置機構ＳＳ−１００は、ユーザが圧力を解放すると、連動装置ＳＳ−１００が係合され、第２の注射が試行されることができないように、自動注射器１が注射位置ＭＣ−１２０に到達する直前に起動される。完全な投薬を確実にするために、ユーザは、密閉筐体ＭＣ−２００、ＭＣ−３００上の力を維持し、配分された持続時間にわたって注射位置ＭＣ−１２０を維持し、次いで、自動注射器１の上側ＭＣ−３００上の圧力を解放する。密閉筐体ＭＣ−２００、ＭＣ−３００上の圧力の解放は、付勢部材ＳＳ−３００を用いて、密閉筐体ＭＣ−２００、ＭＣ−３００がカバーＭＣ−１００に対して平行移動することを可能にし、それによって、針ＮＥＳ−７００を後退させ得る。種々の実施形態では、連動装置ＳＳ−１００が前もって起動されたＭＣ−１０９ので、それらは、密閉筐体ＭＣ−２００、ＭＣ−３００がカバーＭＣ−１００に対して平行移動している間に、それら自体に係合するであろう。注射が実施され、連動装置ＳＳ−１００がトリガ機構ＭＣ−１０９に係合した後、最低でも、密閉筐体ＭＣ−２００、ＭＣ−３００上の注射力の２倍である力は、カバーＭＣ−１００の注射接触表面ＭＣ−１２１からの針ＮＥＳ−７００の露出を可能にせず、安全に廃棄されることができる。
【００４２】
以下の項目（１−１１）のリストは、種々の実施形態による、自動注射器１の内部構成要素および機構の例示的起動シーケンス、ならびに個々の構成要素の相互作用を説明する。
【００４３】
１．）注射を開始する前、ユーザは、任意のその後の動作の前に安全機構ＳＳ−２００を除去することができる。安全機構ＳＳ−２００は、除去時、注射表面ＭＣ−１２１がユーザに露出され、注射表面ＭＣ−１２１を保護し、それは、適切な向きを確立することにおいてさらに補助し得る。安全機構ＳＳ−２００は、密閉筐体ＭＣ−２００、ＭＣ−３００が除去に先立ってカバーＭＣ−１００に対して変位することを防止する手段（例えば、連動装置ＳＳ−２０４）も提供することもでき、それによって、注射シーケンスは、最初に該機構ＳＳ−２００を除去することなく開始しないこともある。安全機構ＳＳ−２００は、偶発的排出の場合に注射針ＮＥＳ−７００からユーザを保護する針シースＮＥＳ−１００も除去し得る。加えて、シースＮＥＳ−１００は、障壁ＮＥＳ−６００（例えば、図３８−４０参照）と組み合わせて、注射針ＮＥＳ−７００を覆うことができ、注射針ＮＥＳ−７００の格納中、いかなる可能な汚染も防止し得る。したがって、注射時、針シースＮＥＳ−１００の除去に先立って、注射針ＮＥＳ−７００は、無菌である。
【００４４】
２．）安全機構ＳＳ−２００の除去に続いて、ユーザは、係止位置ＭＣ−１１７から係止解除位置ＭＣ−１１８まで密閉筐体ＭＣ−２００、ＭＣ−３００を回転させることができ、そうすると、密閉筐体ＭＣ−２００、ＭＣ−３００は、付勢部材ＳＳ−３００によって装備位置ＭＣ−１１９まで自動的に移動させられる。結果として、筐体ＭＣ−２００、ＭＣ−３００は、ある拘束された距離および角度で平行移動および回転する。ユーザが力を加え、装備位置ＭＣ−１１９から注射位置ＭＣ−１２０まで密閉筐体ＭＣ−２００、ＭＣ−３００を移行させると、密閉筐体ＭＣ−２００、ＭＣ−３００の内側で内部起動シーケンスを開始する機構は、トリガまたは突出部ＭＣ−１０６、ＭＣ−１０７（例えば、図１５−１６参照）である。起動トリガまたは突出部ＭＣ−１０６、ＭＣ−１０７は、カバーＭＣ−１００の表面上に成型または形成されることができる。空洞ＭＣ−２０２（例えば、図２２−２３参照）が、密閉筐体ＭＣ−２００、ＭＣ−３００の下半体ＭＣ−２００の中に成型または形成され、密閉筐体ＭＣ−２００、ＭＣ−３００およびカバーＭＣ−１００が、起動機構ＭＣ−１０６、ＭＣ−１０７、または整列機構ＭＣ−１０５（例えば、図１９−２０参照）に干渉すること、もしくはそれを損傷することなく、互いに対して回転および平行移動することを可能にする。組立、起動、および注射中、密閉筐体ＭＣ−２００、ＭＣ−３００上に成型または形成される突出部またはタブＭＣ−２１０と、カバーＭＣ−１００上の対応するチャネル、スロット、戻り止め等ＭＣ−１０３とは、界面接触し、カバー上の突出部またはトリガＭＣ−１０５、ＭＣ−１０６、ＭＣ−１０７の損傷を防止するために十分なすき間および整列を提供し得る。カバーＭＣ−１００は、注射時に（例えば、自動注射器１が位置ＭＣ−１２０にあるときに）密閉筐体ＭＣ−２００、ＭＣ−３００内の対応する空洞ＭＣ−２１１（例えば、図２３参照）と界面接触する整列支柱または突出部ＭＣ−１０５も有し得、それらは、密閉筐体ＭＣ−２００、ＭＣ−３００およびカバーＭＣ−１００の整列を補助し、密閉筐体ＭＣ−２００、ＭＣ−３００内に配置される対応する係止機構ＮＥＳ−５００（例えば、図３８−４１参照）、ＭＤＳ−１００（例えば、図６９−７３参照）とともにカバーＭＣ−１００上のトリガＭＣ−１０６、ＭＣ−１０７を向け得る。いくつかの実施形態では、カバーＭＣ−１００および／または密閉筐体ＭＣ−２００、ＭＣ−３００は、相対移動中に密閉筐体ＭＣ−２００、ＭＣ−３００とカバーＭＣ−１００との間の整列を維持することにおいて補助する追加の特徴（例えば、ＭＣ−１０３、ＭＣ−１０４、ＭＣ−１０９、ＭＣ−１１５、ＭＣ−２１０、ＳＳ−１０２）を含み得る。
【００４５】
３．）ユーザが力を密閉筐体ＭＣ−２００、ＭＣ−３００の頂面ＭＣ−３００に加え、密閉筐体ＭＣ−２００、ＭＣ−３００をカバーＭＣ−１００の中に圧縮し、注射を実施するとき、起動されるべき第１のシステムは、連動装置システムＳＳ−１００であり得る。連動装置システムＳＳ−１００を最初に起動することは、ユーザが針延長システム（ＮＥＳ）を展開するとき、連動装置システムＳＳ−１００が、常に、トリガ機構ＭＣ−１０９に係合するであろうことを確実にする。いくつかの実施形態では、連動装置ＳＳ−１００は、密閉筐体ＭＣ−２００、ＭＣ−３００が注射中に圧縮されるとき、カバーＭＣ−１０９と連動装置ＳＳ−１０１（例えば、図９８−１００参照）との間の締まり嵌めによって起動される。注射、および密閉筐体ＭＣ−２００、ＭＣ−３００上の圧力の解放に続いて、密閉筐体ＭＣ−２００、ＭＣ−３００が、カバーＭＣ−１００に対して自動的に変位させられ得、連動装置ＳＳ−１００が、展開または係合される。起動に先立って、連動装置ＳＳ−１００は、密閉筐体ＭＣ−２００、ＭＣ−３００内の空洞ＭＣ−２０１（例えば、図１０３参照）、ＭＣ−３１４（例えば、図２９−３４参照）の中に格納状態で保持されることができる。
【００４６】
４．）連動装置ＳＳ−１００の起動に続いて、針延長システム（ＮＥＳ）が、起動されることができる。カバーＭＣ−１００上の対応する針延長トリガまたは突出部ＭＣ−１０７は、所定の場所ＭＣ−２０３（例えば、図２３参照）で密閉筐体ＭＣ−２００、ＭＣ−３００の平面を壊し、ＮＥＳの固定具または係止機構ＮＥＳ−５００に接触する。ＮＥＳの固定具または係止機構ＮＥＳ−５００は、付勢部材ＮＥＳ−８００（例えば、図６７−６８参照）のポテンシャルエネルギーを保持することができる。付勢部材ＮＥＳ−８００は、規定接触点ＮＥＳ−２０２（例えば、図４８−５０参照）において針筒ＮＥＳ−２００（例えば、図４６−５０参照）に結合され得る。一実施形態では、付勢部材ＮＥＳ−８００は、針筒ＮＥＳ−２００を回転させるねじりばねである。固定具または係止機構ＮＥＳ−５００は、針筒ＮＥＳ−２００との干渉部分ＮＥＳ−２０１（例えば、図４７参照）によって、ねじりばねＮＥＳ−８００のポテンシャルエネルギーを維持し得る。カバーＭＣ−１００上の針延長トリガまたは突出部ＭＣ−１０７と固定具または係止機構ＮＥＳ−５００との間の接触部分ＮＥＳ−５０１（例えば、図６０−６２参照）は、係止機構ＮＥＳ−５００を係合解除し、ねじりばねＮＥＳ−８００の中に貯蔵されたポテンシャルエネルギーを放出する。ねじりばねＮＥＳ−８００の解放は、針筒ＮＥＳ−２００を回転させ、湾曲した注射針ＮＥＳ−７００を展開する。筐体は、注射時に係止機構ＮＥＳ−５００の係合解除を促進するための内部幾何学的部分ＭＣ−３０７（例えば、図３１参照）を有し得る。
【００４７】
５．）係止機構ＮＥＳ−５００が針筒ＮＥＳ−２００から係合解除されると、ねじりばねＮＥＳ−８００は、針筒ＮＥＳ−２００を回転させ得る。注射針ＮＥＳ−７００は、要素ＮＥＳ−３０８（例えば、図５３−５４参照）を針筒ＮＥＳ−２００に形成された対応する陥凹ＮＥＳ−２０７と篏合させる、針筒キャップＮＥＳ−３００（例えば、図５１−５４参照）によって、針筒ＮＥＳ−２００に固定され、その中で保持され得る。針筒キャップＮＥＳ−３００は、要素ＮＥＳ−３０６（例えば、図５３−５４参照）、ＮＥＳ−２０６（例えば、図４６−４７参照）間の摩擦嵌めを通して、注射針ＮＥＳ−７００を針筒ＮＥＳ−２００に固定し得る。加えて、筒キャップＮＥＳ−３００は、要素ＮＥＳ−３０４（図５１参照）、ＮＥＳ−３０５（図５１参照）、ＮＥＳ−２０４（図４９参照）、ＮＥＳ−２０５（図４９参照）によって形成される摩擦または圧縮嵌めを通して、可撓性管類ＮＥＳ−９００（図４０参照）を注射針ＮＥＳ−７００に固定し得る。さらに、針筒キャップＮＥＳ−３００は、針筒ＮＥＳ−２００の回転を特定の角度に限定するための接触表面ＮＥＳ−３０１（図５２参照）を提供する。種々の実施形態では、密閉筐体ＭＣ−２００、ＭＣ−３００の底半体ＭＣ−２００は、回転中に針筒キャップＮＥＳ−３００に接触し、筒ＮＥＳ−２００の角度変位を所望の注射深度に比例する所望の回転角に限定する、インターフェースＭＣ−２１８（例えば、図２１−２２参照）を提供する。筒キャップＮＥＳ−３００と密閉筐体ＭＣ−２００、ＭＣ−３００の底半体ＭＣ−２００とは、協働し、注射針ＮＥＳ−７００が過剰回転することを防止し、適切な注射深度が達成されることを確実にする。針筒ＮＥＳ−２００は、密閉筐体ＭＣ−２００、ＭＣ−３００の半体（例えば、ＭＣ−２０７、ＭＣ−３１２、ＭＣ−３１６、ＭＣ−３０２、ＭＣ−３１０、ＭＣ−３０９、ＭＣ−２１６）に形成されるガイド（例えば、ＮＥＳ−２０３（図４６参照）、ＮＥＳ−３０３（図５１参照）、ＮＥＳ−２０８（図４８参照））、ならびに針筒ガイドＮＥＳ−４００（図５５−５９参照）を通して、回転中にその回転軸に沿って整列を維持する。これらのガイドは、軸方向整列を維持し、針筒ＮＥＳ−２００および注射針ＮＥＳ−７００が注射中に密閉筐体ＭＣ−２００、ＭＣ−３００に対して平行移動することを防止し得る。針筒ガイドＮＥＳ−４００は、自動注射器１の格納および注射中にＮＥＳ係止機構ＮＥＳ−５００（例えば、図６０−６２参照）を拘束支持および誘導するためのチャネルＮＥＳ−４０１（図５５参照）も提供し得る。いくつかの実施形態では、針筒キャップＮＥＳ−３００は、超音波溶接されるか（溶接ＮＥＳ−２１０（図４９）、ＮＥＳ−３０７（図５１）参照）、または２つの構成要素を一緒に接合する別の手段を利用することができる。加えて、システムのＮＥＳ構成要素は、組立中、筐体ＭＣ−２００、ＭＣ−３００から独立して統合されることができる。
【００４８】
６．）注射針ＮＥＳ−７００の回転時、湾曲した注射針の遠位端ＮＥＳ−７０１（図６５−６６参照）は、密閉筐体ＭＣ−２００、ＭＣ−３００の下半体に形成された開口ＭＣ−２０４（図２３参照）を通過し、湾曲した注射針ＮＥＳ−７００の一部が巻きを解く間にまっすぐにされるように、カバーＭＣ−１００上の針ガイドＭＣ−１１０（図１９参照）と接触する。注射針ＮＥＳ−７００が針ガイドＭＣ−１１０上の表面ＭＣ−１１２、ＭＣ−１１３（図１９参照）に接触する場所は、針ガイドＭＣ−１１０の引っかき、またはこすりの可能性を軽減するため、かつ残渣を生成する可能性を軽減するために、遠位端ＮＥＳ−７０１（例えば、ランセット）がガイドＭＣ−１１０と接触していないようなものであり得る。針ガイドＭＣ−１１０に加えて、密閉筐体ＭＣ−２００、ＭＣ−３００は、注射中に（針軸に対して）可能な半径方向変位をさらに限定するためのブレースＭＣ−３０９（図３１−３４参照）を提供し得る。
【００４９】
７．）針筒係止機構ＮＥＳ−５００が第１のトリガＭＣ−１０７によって係合解除された後、カバーＭＣ−１００の中への筐体ＭＣ−２００、ＭＣ−３００のさらなる圧縮は、第２のトリガＭＣ−１０６が薬剤分注システム（ＭＤＳ）の解放を開始し、薬剤を送達することを可能にする。ＮＥＳと同様に、薬剤分注トリガＭＣ−１０６は、対応する固定具または係止機構ＭＤＳ−１００と接触しＭＤＳ−１０１、該係止機構ＭＤＳ−１００を解放する。トリガＭＣ−１０６は、固定具または係止機構ＭＤＳ−１００が所定の場所ＭＣ−２０３にあるとき、インターフェース部分ＭＤＳ−１０１（図７４参照）において接触する。固定具または係止機構ＭＤＳ−１００は、付勢部材ＭＤＳ−７００（図７２参照）の貯蔵されたポテンシャルエネルギーを維持する。一実施形態では、付勢部材ＭＤＳ−７００は、保持装置ＭＤＳ−４００、ＭＤＳ−３００（図７２−７３参照）およびキーパーＭＤＳ−２００（図７２−７３参照）によって拘束支持される圧縮ばねである。固定具または係止機構ＭＤＳ−１００の解放は、保持装置ＭＤＳ−３００、ＭＤＳ−４００がキーパーＭＤＳ−２００に対して変位し、プランジャＭＤＳ−９００（図７２参照）と接触することを可能にする。プランジャＭＤＳ−９００に接触した後、保持装置ＭＤＳ−３００、ＭＤＳ−４００およびプランジャＭＤＳ−９００は、一緒に変位する。保持装置ＭＤＳ−３００、ＭＤＳ−４００、およびそれに付随して、プランジャＭＤＳ−９００の全変位は、干渉を提供し得るキーパーＭＤＳ−２００、または保持装置ＭＤＳ−３００、ＭＤＳ−４００の移動を制限するための別の特徴ＭＤＳ−２０１（図７８−８０参照）、ＭＤＳ−３０９（図８１−８４参照）、ＭＤＳ−４０９によって、決定される。したがって、キーパーＭＤＳ−２００に対する保持装置ＭＤＳ−３００、ＭＤＳ−４００の変位は、リザーバＭＤＳ−８００（図９４−９５参照）から放出される薬剤の量に比例し得る。さらに、筐体ＭＣ−２００、ＭＣ−３００は、注射中に固定具または係止機構ＭＤＳ−１００の係合解除を支援するために十分な内部幾何学形状ＭＣ−３０６（図３１参照）を有し得る。
【００５０】
８．）ＭＤＳ固定具または係止機構ＭＤＳ−１００（図７４）の解放時、保持装置ＭＤＳ−３００、ＭＤＳ−４００は、圧縮ばねＭＤＳ−７００の貯蔵されたポテンシャルエネルギーに起因して、変位させられ、プランジャＭＤＳ−９００に接触することができる。分注針ＭＤＳ−６００が、保持装置ＭＤＳ−３００、ＭＤＳ−４００に結合され、可撓性管類ＮＥＳ−９００を通して注射針ＮＥＳ−７００と流体接触することができる。さらに、注射針ＮＥＳ−７００のような分注針ＭＤＳ−６００は、注射ＭＣ−１２０に先立っていかなる汚染も防止するように、保護障壁ＭＤＳ−５００を用いて保護される。したがって、圧縮ばねＭＤＳ−７００の解放は、保持装置ＭＤＳ−３００、ＭＤＳ−４００をプランジャＭＤＳ−９００に接触させ、強制的に分注針ＭＤＳ−６００に保護障壁ＭＤＳ−５００およびプランジャＭＤＳ−９００の両方を穿刺させる。薬剤は、プランジャＭＤＳ−９００の移動の反対方向に、リザーバＭＤＳ−８００から分注針ＭＤＳ−６００（図９１参照）の外に分注される。種々の実施形態では、保持装置ＭＤＳ−３００、ＭＤＳ−４００は、一緒に、または十分な接着もしくは強度を提供する代替手段によって、超音波溶接される（例えば、溶接ＭＤＳ−４０５、ＭＤＳ−３０５（図８４、８５参照）を伴う）、２つの半体（例えば、ＭＤＳ−３００、ＭＤＳ−４００）から成る。保持装置の半体ＭＤＳ−３００、ＭＤＳ−４００は、摩擦嵌め（ＭＤＳ−６０２、ＭＤＳ−３０２、ＭＤＳ−４０２（図８２、８４、９１参照））を通して分注針ＭＤＳ−６００を固定し得る。加えて、保持装置の半体ＭＤＳ−３００、ＭＤＳ−４００は、摩擦または圧縮嵌めＭＤＳ−３０３、ＭＤＳ−３０４、ＭＤＳ−４０３、ＭＤＳ−４０４（図８３−８５参照）を通して、可撓性管類ＮＥＳ−９００を分注針ＭＤＳ−６００に固定し、分注中にいかなる可能な係合解除も防止し得る。一緒に合わせられると、保持装置ＭＤＳ−３００、ＭＤＳ−４００の各半体は、組立中に２つの半体ＭＤＳ−３００、ＭＤＳ−４００の適切な整列を強制する向き特徴ＭＤＳ−３０１、ＭＤＳ−４０１（図８３−８５参照）を有し得、それらは、適切な整列で分注針ＭＤＳ−６００および管類ＮＥＳ−９００を維持するようにも作用する。密閉されたリザーバＭＤＳ−８００を維持するために、かつ薬剤を汚染しないために、分注針ＭＤＳ−６００は、注射時に保護障壁ＭＤＳ−５００（図８９−９０参照）およびプランジャＭＤＳ−９００のみを貫通し得る。
【００５１】
９．）ＮＥＳおよびＭＤＳをそれぞれ起動する針延長および薬物分注トリガＭＣ−１０６、ＭＣ−１０７の両方は、係合解除するために要求される力を低減させ、トリガＭＣ−１０６、ＭＣ−１０７における誘発された応力を限定するための接触点におけるそれらのそれぞれの係止機構ＮＥＳ−５０１（図６０−６２参照）、ＭＤＳ−１０１（図７４参照）への補完的輪郭形成表面を有し得る。加えて、所定の相互作用場所ＭＣ−２０３を介して、筐体ＭＣ−２００、ＭＣ−３００は、拘束支持部ＭＣ−２１９（図２６参照）を提供し、係合解除力によって誘発されるトリガＭＣ−１０６、ＭＣ−１０７のいかなる可能な変位も限定し得る。
【００５２】
１０．）分注針ＭＤＳ−６００の近位端ＭＤＳ−６０４（図９１参照）は、１本の可撓性ホースまたは管類ＮＥＳ−９００によって注射針ＮＥＳ−７００の近位端ＮＥＳ−７０３（図６５参照）に流体的に接続され得る。ＮＥＳおよびＭＤＳの起動のタイミングは、注射針ＮＥＳ−７００が組織に埋め込まれ、薬物が指定または所定の時間枠内に分注されるようなものであり得る。
【００５３】
１１．）注射およびユーザによる密閉筐体ＭＣ−２００、ＭＣ−３００への圧力の解放後、密閉筐体ＭＣ−２００、ＭＣ−３００は、付勢部材ＳＳ−３００に起因して、カバーＭＣ−１００に対して自動的に平行移動し得る。いくつかの実施形態では、付勢部材は、圧縮ばねＳＳ−３００である。密閉筐体ＭＣ−２００、ＭＣ−３００のその後の拡張中、連動装置ＳＳ−１００は、それらの空洞ＭＣ−２０１、ＭＣ−３１４から除去され、密閉筐体ＭＣ−２００、ＭＣ−３００とカバーＭＣ−１００との間のいかなる相対的移動も制限する。連動装置ＳＳ−１００は、自動注射器１が圧潰されることを防止し、それによって、カバーＭＣ−１００からの注射針ＮＥＳ−７００の遠位端ＮＥＳ−７０１のその後の延長を防止する。カバーＭＣ−１００に対する密閉筐体ＭＣ−２００、ＭＣ−３００の拡張は、自動注射器１の中の注射針ＮＥＳ−７００を完全に引き出し、隠すために十分であり得る。加えて、カバーＭＣ−１００内のチャネル、スロット、戻り止め等ＭＣ−１０３、および密閉筐体ＭＣ−２００、ＭＣ−３００上の成型または形成されたタブもしくは突出部ＭＣ−２１０は、互いに対するカバーＭＣ−１００または密閉筐体ＭＣ−２００、ＭＣ−３００のいかなる回転も防止し得る。自動注射器１のその後の圧潰を防止する連動装置ＳＳ−１００と、カバーＭＣ−１００または筐体ＭＣ−２００、ＭＣ−３００を回転させることができないこととは、安全な廃棄の手段を可能にし、偶発的な針露出ＮＥＳ−７００を防止する。
【００５４】
以下の段落は、自動注射器１の代替または補完的構成および起動シーケンスを含む、自動注射器１の別の実施形態を説明する。
【００５５】
本実施形態では、自動注射器１は、格納中、注射中、および注射後、自動注射器１のある機能性を可能にするための内部電源を有し得る。自動注射器１は、注射を実施するための可聴命令を提供し得る。加えて、日常のスマートデバイスへの自動注射器１の接続性は、追加の機能性を可能にする。接続されたスマートデバイスは、注射を実施するための視覚および／または聴覚命令を表示し得る。ある実施形態は、ユーザが温度および自動注射器１の場所を監視することを可能にし得る。加えて、接続されたスマートデバイスは、ユーザが、他の自動注射器１が近くにあるかどうかを確認することを可能にし得る。追加の実施形態は、注射が開始されると、スマートデバイスが緊急時対応要員または最近親者に連絡することを可能にし得る。さらに、自動注射器１についての情報が、製造業者によって遠隔で監視され得る。
【００５６】
上で説明される実施形態と同様に、本実施形態は、適切な人間工学原理を通して、任意の注射を実施することに先立って、自動注射器１の向きを確立することができる。自動注射器１は、日常の用途からの既存の精神モデルを活用する直感的インターフェースをユーザに提示し得る。ユーザインターフェースに関して、追加のまたは代替実施形態は、注射を実施することに先立って、向きを確立することにおいてユーザを補助し得る、以下の要素の可能な変形例を用いて、同一の利益を提供するであろう：幾何学形状または要素１１０１（図１１５参照）、触覚表面、印、標識、および／または着色。
【００５７】
ある実施形態では、自動注射器１は、任意のその後の動作の前に除去されるべき安全機構ＳＳ−２００を含む。注射表面ＭＣ−１２１は、安全機構ＳＳ−２００が除去されると、ユーザに露出され、適切な向きを確立することにおいてさらに補助し得る。安全機構ＳＳ−２００は、注射シーケンスが最初に安全機構ＳＳ−２００を除去することなく開始しないように、自動注射器１が除去に先立って係止位置３１０２（図１１０−１１１参照）から係止解除位置３１０３、３１０４（図１１０−１１１参照）まで移動することを防止する手段も提供し得る。代替として、または加えて、安全機構ＳＳ−２００は、偶発的排出が起こった場合に注射針４１０２（図１２２参照）からユーザを保護するか、または類似機能性を促進し得る保護シュラウドもしくはシースＮＥＳ−１００を除去し得る。したがって、安全機構ＳＳ−２００の除去は、例えば、以下の機能性を提供または促進し得る：自動注射器１の向きを確立すること、除去に先立って密閉筐体の回転を防止するための連動装置ＳＳ−２０４を提供すること、注射針４１０２からユーザを保護すること、注射針４１０２または注射針４１０２からユーザをさらに保護するであろう、連合または結合された構成要素ＮＥＳ−１００を除去すること、およびカバー３１００（図１１０−１１１参照）の注射接触表面ＭＣ−１２１上の触覚コーティングまたは表面を保護すること。
【００５８】
下で開示される内部構成要素に加えて、自動注射器１は、２つの主要部品、密閉筐体１１００、２１００（図１０５−１０７参照）を含み、それらは、カップ形カバー３１００の中に回転可能に保持され、底側または注射接触表面ＭＣ−１２１も形成し得る。密閉筐体は、十分な接着または接合強度を提供する超音波溶接の手段または代替手段を通して一緒に接合される上半体１１００および下半体２１００から作製されることができる。いくつかの実施形態では、上半体１１００と下半体２１００半体との間の接合は、気密シールを形成し得る。ある場合、筐体１１００、２１００、または筐体１１００、２１００を備えているその後の半体１１００、２１００のうちの１つは、動作中、カバー３１００内の１１００、２１００を誘導および拘束する成型または形成された突出部２１０７（図１１２−１１３参照）を含む。密閉筐体１１００、２１００は、注射を実施するユーザのための一次インターフェースとして機能することができる。場合により密封されている筐体１１００、２１００に加えて、密閉筐体１１００、２１００は、筐体の内部チャンバを完全に封入するための追加の密閉構成要素ＭＣ−２１５（図２６参照）、ＭＣ−３１５（図３１−３２参照）、または複合物を含み得る。この密閉チャンバは、例えば、以下の機能性を果たし得る：内部の所望の清浄度基準を提供および維持すること、耐水性エンクロージャを提供すること、および内部環境と外部環境との間の圧力差を可能にすること。自動注射器１のいくつかの実施形態は、注射の時間まで所望の内部条件を保持し得る。密閉筐体を形成する２つの半体１１００、２１００は、内部構成要素を位置付けて固定し得る幾何学形状および／または構成要素（例えば、１１０２、１１０３、１１０４、１１０５、１１０６、１１０７、１１０８、１１０９、２１０１、２１０２、２１０３、２１０４、２１０５、２１０６、２１０８、２１０９、２１１０、２１１２、２１１３）を有することができる。
【００５９】
以下の項目（１−１４）のリストは、種々の実施形態による、自動注射器１の内部構成要素および機構の別の例示的起動シーケンス、ならびに個々の構成要素の相互作用を説明する。
【００６０】
１．）ユーザがカバー３１００から筐体１１００、２１００を係止解除すると、筐体１１００、２１００は、装備位置３１０３（図１１０−１１１参照）まで自動的に移動する。筐体１１００、２１００は、ある拘束された距離および角度で平行移動および回転する。密閉筐体の内側で内部起動シーケンスを起動する機構は、カバー３１００の表面上に成型または形成されるトリガまたは突出部ＭＣ−１０６、ＭＣ−１０７である。空洞ＭＣ−２０２、ＭＣ−２１１が、密閉筐体１１００、２１００の下半体２１００の中に成型または形成され、密閉筐体およびカバー２１００が、起動または整列機構に干渉すること、もしくはそれを損傷することなく、互いに対して回転および平行移動することを可能にする。組立（位置３１０５参照）、起動（位置３１０２、３１０３参照）、および注射（位置３１０４参照）中、密閉筐体１１００、２１００上に成型または形成される突出部またはタブ２１０７、およびカバー３１００上の対応するチャネル、スロット、戻り止め等３１０６、３１０８、３１０７（図１１０参照）は、界面接触し、カバー３１００上の突出部またはトリガＭＣ−１０６、ＭＣ−１０７の損傷を防止するために十分なすき間および整列を提供し得る。さらに、カバー３１００は、密閉筐体１１００、２１００およびカバー３１００の整列を補助し、密閉筐体１１００、２１００内に配置される対応する係止機構５１００（図１３６参照）、７１１０（図１１６参照）とともに、カバー３１００上のトリガＭＣ−１０６、ＭＣ−１０７を向け得るように、注射時に密閉筐体１１００、２１００内の対応する空洞ＭＣ−２１１と界面接触する整列支柱または突出部ＭＣ−１０５を有することができる。加えて、カバー３１００および／または密閉筐体１１００、２１００は、相対移動中に密閉筐体１１００、２１００とカバー３１００との間の整列を維持することにおいて補助する追加の特徴を含み得る。自動拡張が、その中に配置または形成されたばね３１０１（図１０８−１１１参照）に起因して起こり、起動中にカバー３１００から離れるように筐体１１００、２１００を付勢し、使用を促進し得る。ある実施形態では、筐体１１００、２１００は、係止位置３１０２に戻され、密閉筐体の内部密閉性質を維持することができる。係止位置３１０３、３１０４に戻るために、ユーザは、筐体１１００、２１００をカバー３１００中に圧縮し、反対方向に筐体１１００、２１００を回転させる。
【００６１】
２．）ある実施形態では、内部注射針４１０２は、カバー３１００の底側に形成された針開口ＭＣ−１１２と整列させられていない。したがって、注射針４１０２が不注意に不発であった場合、針ＮＥＳ−７０１の鋭い遠位端は、カバーＭＣ−１２１の底側を通して貫通しないであろう。ユーザは、自動注射器１上に存在する印および標識を用いて、カバー３１００に対して筐体１１００、２１００の位置付けを確かめ得る。
【００６２】
３．）自動注射器１が係止解除位置ＭＣ−１１８に来て、起動された位置３１０３、３１０４に移行すると、筐体１１００、２１００は、トリガＭＣ−１０６、ＭＣ−１０７への干渉なしに自由に回転することができる。注射を促進するための自動注射器１の手動圧縮に先行して、筐体１１００、２１００は、起動された位置３１０３への偶発的移動が起こった場合、係止位置３１０２にリセットされるか、または戻されることができる。
【００６３】
４．）筐体１１００、２１００がカバー３１００の中に圧縮され、装備位置３１０４から注射位置ＭＣ−１２０まで移行すると、カバー３１００上のトリガまたは突出部ＭＣ−１０６、ＭＣ−１０７は、筐体２１００上の指定場所ＭＣ−２０３を穿刺し、対応するロック５１００、７１１０と接触し、注射シーケンスを開始する。トリガＭＣ−１０６、ＭＣ−１０７が、いかなる不正確な破損も引き起こすことなく、またはトリガＭＣ−１０６、ＭＣ−１０７の構造を損なうことなく、下筐体半体２１００の底部側を通して貫通することを可能にする。したがって、トリガＭＣ−１０６、ＭＣ−１０７が貫通するエリアＭＣ−２０３は、穿孔または他の補助ＭＣ−２１９（例えば、異なる材料等）を含み得る。
【００６４】
５．）ユーザが自動注射器１を圧縮し、注射を実施すると、第１のトリガＭＣ−１０７は、下筐体半体２１００を穿刺し、湾曲した注射針４１０２の巻きを解くことを開始する。巻きを解くことは、係止機構５１００を係合解除させる第１のトリガＭＣ−１０７によって開始される。第１のトリガＭＣ−１０７は、筐体を穿刺し、巻きを解く係止機構５１００に接触する。巻きを解く係止機構５１００は、それが格納位置、起動位置、および装備位置３１０２、３１０３、３１０４中にある針筒４１００（図１２５−１３０参照）から後退させられることによって係合解除される。筐体１１００、２１００は、注射の時間中に係止機構５１００、７１１０の係合解除を支援するために十分な内部幾何学形状（要素ＭＣ−３０６、ＭＣ−３０７参照（図３１参照））を有し得る。第１のトリガＭＣ−３０７との係合に先立って、注射針４１０２の巻きを解くことは、巻きを解く係止機構５１００によって防止され、針筒４１００が回転することを阻止し得る。したがって、対応するねじりばね８１００は、巻かれたままであり、負荷下にある。本実施形態では、注射針４１０２の一部は、注射に先立った螺旋形状と、注射時のまっすぐにされた形状とを有する。注射針４１０２の螺旋形状は、自動注射器１が薄型および高アスペクト比を維持することを可能にする。加えて、針４１０２は、製造または注射中の巻きを解く間に損なわれないであろうような材料であり得る。
【００６５】
６．）係止機構５１００が針筒４１００から係合解除されると、ねじりばね８１００は、設定された角度で針筒４１００を自由に回転させる。注射針４１０２は、針筒４１００に形成された対応する陥凹４１１２（図１２５−１２６参照）と篏合する保持装置４１０３（図１２２参照）に固定されることができる。針筒４１００が回転すると、螺旋注射針４１０２の一部は、巻きを解かれる。本実施形態では、注射前に湾曲された針４１０２の一部は、注射中にまっすぐにされ、組織に埋め込まれることができる。筐体の上半体１１００および下半体２１００に成型される一対の対向するリブ２１０２（図１０８参照）、１１０４（図１１４−１１５参照）は、巻きを解くことおよび跳ね返りの両方中、針筒４１００を回転中に定位置で適切に整列させられた状態に保つ。加えて、針筒４１００を整列させ、誘導するリブまたは筐体４１１３（図１２５−１２６参照）、１１０４、２１０２が、形成され、または注射針４１０２を誘導し、針筒４１００から係合解除することを可能にするような幾何学形状（要素１１０３（図１１４−１１５参照）、２１０３（図１１２参照）参照）を有し得る。
【００６６】
７．）螺旋注射針４１０２の遠位端ＮＥＳ−７０１は、注射針４１０２が開口２１１１によって巻きを解く間にまっすぐにされるように、下筐体半体２１００に形成された注射針４１０２と類似するサイズの開口２１１１（図１１２−１１３参照）を通過する。干渉要素４１０７（図１２５−１２７参照）によって針筒４１００の回転を制御することは、筒４１００が所望される所定の度数で回転させられることを確実にし、針４１０２の遠位端ＮＥＳ−７０１が所望の注射深度において停止されることを確実にする。
【００６７】
８．）加えて、針４１０２の遠位端ＮＥＳ−７０１が、下筐体半体２１００から退出するとき、それは、開口２１１１を覆うシールを通過し、穿刺し得る。シールは、筐体１１００、２１００の内部と外部側環境との間の障壁として作用する。このシールは、接着して付着させられた薄いＴＰＥ膜（例えば、Ｓａｎｔｏｐｒｅｎｅ（登録商標）材料）であり得、それは、筐体１１００、２１００を密封した状態に保つ。加えて、このタイプのシールは、いかなる材料も除去することなく、針４１０２の遠位端ＮＥＳ−７０１が通過することを可能にし、注射中の閉栓効果および針４１０２の内部管腔またはボアの部分または完全遮断を回避する。シールはまた、筐体の無菌内部環境が維持されることも確実にし得る。
【００６８】
９．）針筒４１００の巻きを解く回転が完了すると、ねじりばね８１００は、針筒４１００から係合解除することができる。ねじりばね８１００は、針筒４１００およびねじりばね８１００の両方と接触している巻きを解くばねテンショナ４１０４（図１２８参照）が、ねじりばね接触点４１０６（図１２８参照）と、非円形を有するカラー付き表面４１０５（図１２９−１３０参照）とを有するので、針筒４１００から係合解除することができる。一実施形態では、ねじりばね接触表面４１１４（図１３７−１３８参照）は、非円形カラー４１０５に起因して、ねじりばね８１００の軸方向変位を引き起こし、ねじりばね８１００の近位端８１０３（図１４０参照）が筒４１００上の接触点４１０６から上および外に上昇し、針筒４１００から係合解除することを可能にする。係合解除は、筒４１００上に注射針４１０２の跳ね返りを実施する跳ね返りねじりばね８１０１が、巻きを解くねじりばね８１００を再び巻く必要がないように、起こり得る。
【００６９】
１０．）針筒係止機構５１００が第１のトリガＭＣ−１０７によって係合解除された後、カバー３１００の中への筐体１１００、２１００のさらなる圧縮は、第２のトリガＭＣ−１０６が薬剤の分注を開始することを可能にする。薬剤を含むリザーバまたはバイアル７１００に関連付けられるプランジャ７１０２は、圧縮ばね７１０６によって前方に推進または駆動され、それは、次に、薬剤を分注する。圧縮ばね７１０６は、第２のトリガＭＣ−１０６が格納位置でばね７１０６を拘束支持および保持する保持装置７１０１を解放したとき、作動させられる。圧縮ばね７１０６は、保持装置７１０１、次に、プランジャ７１０２をバイアル７１００の中に駆動し、分注ポート７１０４を通してバイアル７１００から外に薬剤を押し進める。
【００７０】
１１．）注射針４１０２の近位端ＮＥＳ−７０３は、１本の可撓性ホースまたは管類ＮＥＳ−９００によって分注ポート７１０４に流体的に接続される。巻きを解くことＮＥＳおよび薬剤投与ＭＤＳのタイミングは、注射ＮＥＳおよび薬剤ＭＤＳ送達が短い指定時間窓内で（例えば、圧縮から数秒後に）起こるようなものである。
【００７１】
１２．）自動注射器１が注射場所に対して圧縮され、注射が開始すると、個人は、指定持続時間にわたって注射場所に対して自動注射器１を保持する。指定持続時間後の自動注射器１への圧力の解放時、注射針４１０２の跳ね返りが開始する。付勢部材３１０１に起因して、筐体１１００、２１００は、自動的に拡張し、拡張時、第３の係止９１００（図１３３−１３４参照）機構を解放し、次に、跳ね返りねじりばね８１０１（図１２９参照）を起動する。
【００７２】
１３．）自動注射器１が圧縮構成である間、跳ね返りねじりばね８１０１は、別のテンショナ９１０１（図１３１−１３２参照）および保持装置９１００によって巻かれた状態で維持されることができる。この跳ね返りばね保持装置９１００は、自動注射器１の圧縮および用量の注射中、跳ね返りねじりばね８１０１の緊張状態を維持し得る。跳ね返りばね８１０１は、注射針４１０２の巻きを解く間に針筒４１００から係合解除され得ることに留意されたい。拡張に続いて、注射後、跳ね返りばね８１０１は、注射針４１０２が跳ね返らせられるように、針筒４１００の干渉要素４１０７に係合することができる。針筒４１００上の跳ね返りばね８１０１のこの係合４１０７は、巻きを解くプロセス中に針筒４１００の軸方向移動によって促進される。跳ね返りばね８１００が針筒４１００から係合解除されると、跳ね返りねじりばね８１０１が巻きを解除すること（かつ時期尚早に注射針４１０２を跳ね返らせること）を防止するために、トリガＭＣ−１０６は、自動注射器１の完全圧縮が自動注射器１の拡張まで一時的ばね保持装置として作用するように、跳ね返りばね保持装置９１００を作動させる。
【００７３】
１４．）自動注射器１が、注射が完了した後に拡張することを可能にされると、トリガＭＣ−１０６は、係合解除し、テンショナ９１０１を解放し、跳ね返りねじりばね８１０１が注射針４１０２を筐体１１００、２１００の中に跳ね返りさせることを可能にする。続いて、連動装置ＳＳ−１００は、注射針４１０２が再び展開されることができることを防止する。
【００７４】
下記の表は、図に表出する参照番号の名称および簡潔な説明を提供する。
【表１−１】
2020532379.tif 000003
【表１−２】
2020532379.tif 000004
【表１−３】
2020532379.tif 000005
【表１−４】
2020532379.tif 000006
【表１−５】
2020532379.tif 000007
【表１−６】
2020532379.tif 000008
【表１−７】
2020532379.tif 000009
本明細書で提示される各数値は、対応するパラメータの範囲内の例示的最小値または最大値を表すことが考慮される。故に、請求項に追加されるとき、例示的値は、本明細書の教示による、数値を上回って、または下回って存在し得る範囲を請求するための明示的支持を提供する。（図１４１に示されるチャート内を含む）本明細書で提示される各数値範囲内の最小値と最大値との間の全ての値が、各特定の範囲内で表される有効桁数を条件として、本明細書で考慮され、明示的に支持される。
【００７５】
本明細書で採用される用語および表現は、限定ではなくて説明の用語および表現として使用され、そのような用語および表現の使用には、図示および説明される特徴またはその部分のいかなる均等物も除外する意図はない。加えて、本発明のある実施形態が説明されたが、本明細書に開示される概念を組み込む他の実施形態が、本発明の精神および範囲から逸脱することなく使用され得ることが、当業者に明白であろう。いくつかの実施形態の構造特徴および機能は、種々の組み合わせおよび順列で配列され得、全ては、開示される発明の範囲内と見なされる。別様に必要とされない限り、種々の方法における記載されたステップは、任意の順序で実施され得、あるステップは、実質的に同時に実施され得る。故に、説明される実施形態は、あらゆる点に関して、制限的ではなくて例証的のみと見なされるものである。さらに、本明細書に説明される構成は、決して限定的ではなくて例証的として意図される。同様に、物理的解説が解説目的のために提供されているが、任意の特定の理論もしくは機構によって拘束されること、またはそれに従って請求項を限定することも意図しない。
【図１】
2020532379.tif 000010
【図２】
2020532379.tif 000011
【図３】
2020532379.tif 000012
【図４】
2020532379.tif 000013
【図５】
2020532379.tif 000014
【図６】
2020532379.tif 000015
【図７】
2020532379.tif 000016
【図８】
2020532379.tif 000017
【図９】
2020532379.tif 000018
【図１０】
2020532379.tif 000019
【図１１】
2020532379.tif 000020
【図１２】
2020532379.tif 000021
【図１３】
2020532379.tif 000022
【図１４】
2020532379.tif 000023
【図１５】
2020532379.tif 000024
【図１６】
2020532379.tif 000025
【図１７】
2020532379.tif 000026
【図１８】
2020532379.tif 000027
【図１９】
2020532379.tif 000028
【図２０】
2020532379.tif 000029
【図２１】
2020532379.tif 000030
【図２２】
2020532379.tif 000031
【図２３】
2020532379.tif 000032
【図２４】
2020532379.tif 000033
【図２５】
2020532379.tif 000034
【図２６】
2020532379.tif 000035
【図２７】
2020532379.tif 000036
【図２８】
2020532379.tif 000037
【図２９】
2020532379.tif 000038
【図３０】
2020532379.tif 000039
【図３１】
2020532379.tif 000040
【図３２】
2020532379.tif 000041
【図３３】
2020532379.tif 000042
【図３４】
2020532379.tif 000043
【図３５】
2020532379.tif 000044
【図３６】
2020532379.tif 000045
【図３７】
2020532379.tif 000046
【図３８】
2020532379.tif 000047
【図３９】
2020532379.tif 000048
【図４０】
2020532379.tif 000049
【図４１】
2020532379.tif 000050
【図４２】
2020532379.tif 000051
【図４３】
2020532379.tif 000052
【図４４】
2020532379.tif 000053
【図４５】
2020532379.tif 000054
【図４６】
2020532379.tif 000055
【図４７】
2020532379.tif 000056
【図４８】
2020532379.tif 000057
【図４９】
2020532379.tif 000058
【図５０】
2020532379.tif 000059
【図５１】
2020532379.tif 000060
【図５２】
2020532379.tif 000061
【図５３】
2020532379.tif 000062
【図５４】
2020532379.tif 000063
【図５５】
2020532379.tif 000064
【図５６】
2020532379.tif 000065
【図５７】
2020532379.tif 000066
【図５８】
2020532379.tif 000067
【図５９】
2020532379.tif 000068
【図６０】
2020532379.tif 000069
【図６１】
2020532379.tif 000070
【図６２】
2020532379.tif 000071
【図６３】
2020532379.tif 000072
【図６４】
2020532379.tif 000073
【図６５】
2020532379.tif 000074
【図６６】
2020532379.tif 000075
【図６７】
2020532379.tif 000076
【図６８】
2020532379.tif 000077
【図６９】
2020532379.tif 000078
【図７０】
2020532379.tif 000079
【図７１】
2020532379.tif 000080
【図７２】
2020532379.tif 000081
【図７３】
2020532379.tif 000082
【図７４】
2020532379.tif 000083
【図７５】
2020532379.tif 000084
【図７６】
2020532379.tif 000085
【図７７】
2020532379.tif 000086
【図７８】
2020532379.tif 000087
【図７９】
2020532379.tif 000088
【図８０】
2020532379.tif 000089
【図８１】
2020532379.tif 000090
【図８２】
2020532379.tif 000091
【図８３】
2020532379.tif 000092
【図８４】
2020532379.tif 000093
【図８５】
2020532379.tif 000094
【図８６】
2020532379.tif 000095
【図８７】
2020532379.tif 000096
【図８８】
2020532379.tif 000097
【図８９】
2020532379.tif 000098
【図９０】
2020532379.tif 000099
【図９１】
2020532379.tif 000100
【図９２】
2020532379.tif 000101
【図９３】
2020532379.tif 000102
【図９４】
2020532379.tif 000103
【図９５】
2020532379.tif 000104
【図９６】
2020532379.tif 000105
【図９７】
2020532379.tif 000106
【図９８】
2020532379.tif 000107
【図９９】
2020532379.tif 000108
【図１００】
2020532379.tif 000109
【図１０１】
2020532379.tif 000110
【図１０２】
2020532379.tif 000111
【図１０３】
2020532379.tif 000112
【図１０４】
2020532379.tif 000113
【図１０５】
2020532379.tif 000114
【図１０６】
2020532379.tif 000115
【図１０７】
2020532379.tif 000116
【図１０８】
2020532379.tif 000117
【図１０９】
2020532379.tif 000118
【図１１０】
2020532379.tif 000119
【図１１１】
2020532379.tif 000120
【図１１２】
2020532379.tif 000121
【図１１３】
2020532379.tif 000122
【図１１４】
2020532379.tif 000123
【図１１５】
2020532379.tif 000124
【図１１６】
2020532379.tif 000125
【図１１７】
2020532379.tif 000126
【図１１８】
2020532379.tif 000127
【図１１９】
2020532379.tif 000128
【図１２０】
2020532379.tif 000129
【図１２１】
2020532379.tif 000130
【図１２２】
2020532379.tif 000131
【図１２３】
2020532379.tif 000132
【図１２４】
2020532379.tif 000133
【図１２５】
2020532379.tif 000134
【図１２６】
2020532379.tif 000135
【図１２７】
2020532379.tif 000136
【図１２８】
2020532379.tif 000137
【図１２９】
2020532379.tif 000138
【図１３０】
2020532379.tif 000139
【図１３１】
2020532379.tif 000140
【図１３２】
2020532379.tif 000141
【図１３３】
2020532379.tif 000142
【図１３４】
2020532379.tif 000143
【図１３５】
2020532379.tif 000144
【図１３６】
2020532379.tif 000145
【図１３７】
2020532379.tif 000146
【図１３８】
2020532379.tif 000147
【図１３９】
2020532379.tif 000148
【図１４０】
2020532379.tif 000149
【図１４１】
2020532379.tif 000150
【国際調査報告】
2020532379.tif 000151
2020532379.tif 000152
2020532379.tif 000153